(57)【特許請求の範囲】
【請求項１】
無線通信のための方法であって、
複数の受信機で受信されるべき共通情報の送信のためにキャリア周波数のセットを識別することと、ここにおいて、前記共通情報は、少なくとも同報チャネル情報と、同期情報またはページング情報のうちの１つまたは複数とを備える、
キャリア周波数の前記セットにおける前記キャリア周波数の各々にわたって前記共通情報を送信するためのずらしパターンを決定することと、ここにおいて、前記ずらしパターンを決定することは、キャリア周波数の前記セットの異なる周波数上の前記共通情報の送信のために非オーバーラップ時間期間を選択することを備え、キャリア周波数の前記セットの前記異なる周波数上の各送信は、前記共通情報を提供する、
を備え、キャリア周波数の前記セットは、少なくとも１つのアンカー周波数、および利用可能なキャリア周波数のグループから選択された複数のフレキシブルキャリア周波数を含み、
前記同期情報の送信帯域幅は、該当のキャリア周波数のための利用可能な送信帯域幅よりも少なく、追加の情報は、残りの利用可能な送信帯域幅を使用して送信される、方法。
【請求項２】
前記ずらしパターンに従ってキャリア周波数の前記セット上で前記共通情報を送信することをさらに備える、請求項１に記載の方法。
【請求項３】
前記ずらしパターンは、前記キャリア周波数の各々上の前記同期情報の送信、および前記キャリア周波数のサブセット上の前記同報または前記ページング情報の送信を備える、請求項１に記載の方法。
【請求項４】
前記ページング情報は、特定のユーザ機器(ＵＥ)のために識別された情報であって、前記ＵＥのためのページング機会中に送信された情報を備え、前記ページング機会が１つまたは複数のＵＥ識別、１つまたは複数のキャリア周波数、または両方の関数である、請求項１に記載の方法。
【請求項５】
前記ページング情報は、キャリア周波数の前記セットのうちの２つ以上にわたってずらされる、請求項１に記載の方法。
【請求項６】
各キャリア周波数上の前記共通情報の送信のための時間期間が所定の時間期間よりも少ない、請求項１に記載の方法。
【請求項７】
前記ずらしパターンは、キャリア周波数の前記セットのうちの１つ上の前記共通情報送信の検出に伴って決定可能な所定のずらしパターンである、請求項１に記載の方法。
【請求項８】
前記ずらしパターンは、前記共通情報の少なくとも一部がキャリア周波数の前記セットの少なくとも１つ上で送信される間にキャリア周波数のサブセットを消去することを含む、請求項１に記載の方法。
【請求項９】
無線通信のための方法であって、
キャリア周波数上の共通情報送信を受信することと、ここにおいて、前記共通情報は、少なくとも同報チャネル情報を備える、
前記受信された共通情報送信に基づいてキャリア周波数のセットにわたる共通情報の送信のためのずらしパターンを決定することと
を備え、前記ずらしパターンを決定することは、
複数のキャリア周波数を並列にサーチすること、または各キャリア周波数の帯域幅の一部を並列にサーチすることと、
同期信号を検出するために時間が経つにつれて異なるキャリア周波数からの信号を組み合わせることと、
前記受信された共通情報送信の時間およびキャリア周波数を識別することと、
キャリア周波数の前記セットの異なる周波数上の前記共通情報の送信のために非オーバーラップ時間期間を決定することと、ここにおいて、キャリア周波数の前記セットの前記異なる周波数上の各送信は、前記共通情報を提供する、
を備え、前記ずらし情報は、前記受信された共通情報送信の前記時間および前記周波数に基づいて決定される、方法。
【請求項１０】
共通情報送信を前記受信することは、前記共通情報送信を求めて複数のキャリア周波数をサーチすることを備える、請求項９に記載の方法。
【請求項１１】
周波数間測定目的で前記ずらしパターンを基地局へ通知することをさらに備える、請求項９の方法。
【請求項１２】
前記共通情報送信は、前記ずらしパターンを指示するシグナリングを備える、請求項９に記載の方法。
【請求項１３】
前記ずらしパターンからの情報を使用して周波数間測定を行うことをさらに備える、請求項１２に記載の方法。
【請求項１４】
前記共通情報は、同期情報またはページング情報の１つまたは複数をさらに備える、請求項９に記載の方法。
【請求項１５】
前記ずらしパターンは、前記キャリア周波数の各々上の同期情報送信、および前記キャリア周波数のサブセット上の同報または前記ページング情報の送信を備える、請求項１４に記載の方法。
【請求項１６】
前記ページング情報は、特定のユーザ機器(ＵＥ)のために識別された情報であって、前記ＵＥのためのページング機会中に送信された情報を備え、前記ページング機会が１つまたは複数のＵＥ識別、１つまたは複数のキャリア周波数、または両方の関数である、請求項１４に記載の方法。
【請求項１７】
キャリア周波数の前記セットは、少なくとも１つのアンカー周波数、および利用可能なキャリア周波数のグループから選択された複数のフレキシブルキャリア周波数を含む、請求項９に記載の方法。
【請求項１８】
無線通信のための装置であって、
プロセッサと、
前記プロセッサに結合されたメモリと
を備え、前記プロセッサは、
複数の受信機で受信されるべき共通情報の送信のためにキャリア周波数のセットを識別することと、ここにおいて、前記共通情報は、少なくとも同報チャネル情報と、同期情報またはページング情報のうちの１つまたは複数とを備える、
キャリア周波数の前記セットにおける前記キャリア周波数の各々にわたって前記共通情報を送信するためのずらしパターンを決定することと、ここにおいて、前記ずらしパターンを決定することは、キャリア周波数の前記セットの異なる周波数上の前記共通情報の送信のために非オーバーラップ時間期間を選択することを備え、キャリア周波数の前記セットの前記異なる周波数上の各送信は、前記共通情報を提供する、
を行うように構成され、
キャリア周波数の前記セットは、少なくとも１つのアンカー周波数、および利用可能なキャリア周波数のグループから選択された複数のフレキシブルキャリア周波数を含み、
前記同期情報の送信帯域幅は、該当のキャリア周波数のための利用可能な送信帯域幅よりも少なく、追加の情報は、残りの利用可能な送信帯域幅を使用して送信される、装置。
【請求項１９】
前記プロセッサは、前記装置に前記ずらしパターンに従ってキャリア周波数の前記セット上で前記共通情報を送信させるようにさらに構成される、請求項１８に記載の装置。
【請求項２０】
前記ずらしパターンは、キャリア周波数の前記セットのうちの１つ上の前記共通情報送信の検出に伴って決定可能な所定のずらしパターンである、請求項１８に記載の装置。
【請求項２１】
無線通信のための装置であって、
プロセッサと、
前記プロセッサに結合されたメモリと
を備え、前記プロセッサは、
キャリア周波数上の共通情報送信を受信することと、ここにおいて、前記共通情報は、少なくとも同報チャネル情報を備える、
前記受信された共通情報送信に基づいてキャリア周波数のセットにわたる共通情報の送信のためのずらしパターンを決定することと
を行うように構成され、前記ずらしパターンを決定することは、
複数のキャリア周波数を並列にサーチすること、または各キャリア周波数の帯域幅の一部を並列にサーチすることと、
同期信号を検出するために時間が経つにつれて異なるキャリア周波数からの信号を組み合わせることと、
前記受信された共通情報送信の時間およびキャリア周波数を識別することと、
キャリア周波数の前記セットの異なる周波数上の前記共通情報の送信のために非オーバーラップ時間期間を決定することと、ここにおいて、キャリア周波数の前記セットの前記異なる周波数上の各送信は、前記共通情報を提供する、
を備え、前記ずらし情報は、前記受信された共通情報送信の前記時間および前記周波数に基づいて決定される、装置。
【請求項２２】
前記ずらしパターンは、キャリア周波数の前記セットのうちの１つ上の前記共通情報送信の検出に伴って決定可能な所定のずらしパターンである、請求項２１に記載の装置。
【発明の詳細な説明】
【相互参照】
【０００１】
[0001]  本特許出願は、Luo et alによって２０１４年８月７日に出願された「Transmission and Reception of Common Channel in an Unlicensed or Shared Spectrum」と題する米国特許出願番号第１４／４５４，４００号、およびLuo et alによって２０１３年８月１２日に出願された「Transmission and Reception of Common Channel in LTE-U」と題する米国仮特許出願第６１／８６４，７４７号への優先権を主張するもので、これらの各々は本譲渡人に譲渡されたものである。
【背景技術】
【０００２】
[0002]  無線通信ネットワークは、音声、ビデオ、パケットデータ、メッセージング、ブロードキャストなどの様々な通信サービスを提供するために広く展開されている。これらの無線ネットワークは、利用可能なネットワークリソースを共有することによって、複数のユーザをサポートすることが可能な多元接続ネットワークであり得る。
【０００３】
[0003]  無線通信ネットワークは多数のアクセスポイントを含み得る。これらアクセスポイントは、ノードＢ(NB)または発展型ノードＢ(ｅＮＢ)のような、多数の基地局を含み得る。  無線ローカルエリアネットワーク（ＷＬＡＮ）のアクセスポイントは、ＷｉＦｉノードのような、多数のＷＬＡＮアクセスポイントを含み得る。各アクセスポイントは多数のユーザ機器（ＵＥ）のための通信をサポートでき、たいてい複数のＵＥと同時に通信し得る。同様に、各ＵＥは多数のアクセスポイントと通信でき、ときには複数のアクセスポイント、および／または異なる接続技術を採用するアクセスポイントと通信し得る。アクセスポイントはダウンリンクおよびアップリンクを経由してＵＥと通信し得る。ダウンリンク（または順方向リンク）は、アクセスポイントからUEまでの通信リンクを指し、アップリンク（または逆方向リンク）は、UEからアクセスポイントまでの通信リンクを指す。
【０００４】
[0004]  セルラーネットワークがより混雑するようになるにつれて、事業者が容量を増大する方策を考察し始めている。１つの取り組みは、セルラーネットワークのトラフィックおよび／又はシグナリングのうちのいくつかを負荷軽減する(offload)ためのＷＬＡＮの使用を含み得る。ＷＬＡＮ(WiFiネットワーク)は、認可されたスペクトルで動作するセルラーネットワークと違って、ＷｉＦｉネットワークが概ね無ライセンススペクトルにおいて動作することから、魅力的である。しかしながら、無ライセンススペクトルへの接続は、無ライセンススペクトルに接続するための同じまたは異なる技術を使用する同じまたは異なる事業者展開(deployment)のアクセスポイントが共存し、無ライセンススペクトルの使用を効率的にすることを確実にするように調整されることが必要になり得る。
【発明の概要】
【０００５】
[0005]  説明された特徴は、一般に無線通信のための１つまたは複数の改善されたシステム、方法、および／または装置に関し、特に無ライセンススペクトル上において複数の受信機で受信されるべき共通情報の送信に関する。共通情報は無ライセンススペクトルの多数の異なるキャリア周波数上において送信され得る。無ライセンススペクトルのキャリア周波数のセットは共通情報の送信における使用のために識別され、ずらしパターン(staggering pattern)がキャリア周波数のセットにおけるキャリア周波数の各々中で共通情報の全てまたは一部を送信するために採用され得る。ずらしパターンは、情報が異なるキャリア周波数上で異なる時間に送信されるようにさせ得る。キャリア周波数の１つ上の情報の検出は、ずらしパターンを導くために使用され得る情報を提供し得る。キャリア周波数の各々上での共通情報送信の持続期間は、無ライセンススペクトルの利用可能性を決定するためのクリアチャネル評価（ＣＣＡ）が必要とされないように選択され得る。
【０００６】
[0006]  第１セットの例によれば、無線通信のための方法が、複数の受信機で受信されるべき共通情報の送信のために無ライセンススペクトルのキャリア周波数のセットを識別することと、キャリア周波数のセットにおけるキャリア周波数の各々中で共通情報を送信するためにずらしパターンを決定することとを含む。方法はまた、ずらしパターンに従ってキャリア周波数のセット上で共通情報を送信することを含む。共通情報は１つまたは複数の同期情報、同報チャネル情報、またはページング情報を含み得る。
【０００７】
[0007]  いくつかの例で、ずらしパターンはキャリア周波数の各々上での同期情報送信、サブセットのキャリア周波数上での同報またはページング情報の送信を含み得る。同期情報の送信帯域幅は、いくつかの例で、該当キャリア周波数のための利用可能送信帯域幅よりも少ないことがあり、追加の情報が残った利用可能な送信帯域幅を使用して送信され得る。ページング情報は、例えば特定のＵＥのために識別されこのＵＥのためのベージング機会中に送信される情報を含むことができ、ページング機会は１つまたは複数のＵＥ識別、１つまたは複数のキャリア周波数、または両方の関数であり得る。ページング情報はキャリア周波数のセットのうちの２つ以上にわたってずらされ得る。
【０００８】
[0008]  いくつかの例では、各キャリア周波数上での共通情報の送信のための時間期間が所定の時間期間よりも少ないものであり得る。例えば、所定時間期間は、無ライセンススペクトルの利用可能性を決定するためにクリアチャネル評価（ＣＣＡ）の実施(performance)を必要とする時間の期間よりも少ないものであり得る。ずらしパターンは、キャリア周波数のセットのうちの１つ上での共通情報送信の検出に伴って決定可能な所定のずらしパターンであり得る。ずらしパターンを決定することは、キャリア周波数のセットのうちの各キャリア周波数上で共通情報の送信のための非オーバーラップ時間期間を選択することを含み得る。キャリア周波数のセットのうちの異なる周波数上での送信のための時間期間は、ずらしパターンの時間期間中に複数回で共通情報の少なくとも一部を提供するように選択される。いくつかの例で、キャリア周波数のセットのうちの各周波数は、ずらしパターンの時間期間中に共通情報の少なくとも１つの送信を含み得る。方法はまた、１つまたは複数の受信機へずらしパターンを送信することを含み得る。加えてまたは代替的に、方法は、共通情報の少なくとも一部がキャリア周波数のセット上で送信されている間、キャリア周波数のセットからサブセットのキャリア周波数を消す(blanking out)ことを含み得る。ずらしパターンは半静的ずらしパターンであって、キャリア周波数のうちの１つまたは複数上で送信される同期情報に含まれ得る。いくつかの例で、キャリア周波数のセットは少なくとも１つのアンカー周波数と、１グループの利用可能なキャリア周波数から選択される多数のフレキシブル(flexible)キャリア周波数とを含み得る。
【０００９】
[0009]  第２セットの例によれば、無線通信のための装置が開示される。装置は、概ね、複数の受信機で受信されるべき共通情報の送信のために無ライセンススペクトルのキャリア周波数のセットを識別するための手段と、キャリア周波数のセットにおけるキャリア周波数の各々中で共通情報を送信するためにずらしパターンを決定するための手段とを含み得る。ある例では、装置が最初のセットの例の方法を参照して上で説明された１つまたは複数の態様の機能を行うための手段をさらに含み得る。
【００１０】
[0010]  第３セットの例によれば、無線通信のための方法が、無ライセンススペクトルの１つのキャリア周波数上の共通情報送信を受信することと、受信された共通情報送信に基づいて、キャリア周波数のセット中での共通情報の送信のためのずらしパターンを決定することとを含み得る。いくつかの例で、決定することは、キャリア周波数の周波数および共通情報送信の受信の時間を識別することと、周波数および受信の時間に基づいてずらしパターンを決定することとを含み得る。共通情報送信を受信することは、いくつかの例で、共通情報送信を求めて複数のキャリア周波数をサーチする(searching)ことを含み得る。こうしたサーチは複数のキャリア周波数を並列にサーチしたり、キャリア周波数毎の帯域幅の一部を並列にサーチしたりすることを含み得る。サーチすることはまた、同期信号を検出するために時間が経つにつれて(over time)異なるキャリア周波数からの信号を組み合わせることを含み得る。
【００１１】
[0011]  いくつかの例において、方法はまた、周波数間測定目的でずらしパターンを基地局へ報告することを含み得る。共通情報送信は、ずらしパターンを指示するシグナリングを含み得る。さらに別の例において、方法はまた、ずらしパターンからの情報を使用して周波数間測定を行うことを含み得る。共通情報は１つまたは複数の同期情報、同報チャネル情報、またはページング情報を含み得る。ずらしパターンはキャリア周波数の各々上の同期情報送信、およびキャリア周波数でのサブセット上の同報またはページング情報の送信を含み得る。ページング情報は、特定のＵＥのために識別されこのＵＥのためのベージング機会中に送信される情報を含むことができ、ページング機会は１つまたは複数のＵＥ識別、１つまたは複数のキャリア周波数、または両方の関数であり得る。ずらしパターンは、キャリア周波数のセットのうちの１つ上での共通情報送信の検出に伴って決定可能な所定のずらしパターンであり得、および／またはキャリア周波数のうちの１つまたは複数上で送信される同期情報に含まれ得る半静的ずらしパターンであり得る。いくつかの例で、キャリア周波数のセットは少なくとも１つのアンカー周波数と、１グループの利用可能なキャリア周波数から選択される複数のフレキシブルキャリア周波数とを含み得る。
【００１２】
[0012]  第４セットの例によれば、無線通信のための装置が開示される。装置は複数の受信機で受信されるべき共通情報の送信のために無ライセンススペクトルのキャリア周波数のセットを識別するための手段と、受信された共通情報送信に基づいて、キャリア周波数のセット中で共通情報を送信するためにずらしパターンを決定するための手段とを含み得る。ある例で、装置は第３セットの例の方法を参照して上で説明された１つまたは複数の態様の機能を行うための手段をさらに含み得る。
【００１３】
[0013]  説明された方法および装置の適用可能性のさらなる範囲は、以下の詳細な説明、特許請求の範囲、および図面から明らかとなるであろう。詳細な説明および具体的な例は、詳細な説明の趣旨および範囲での様々な変更および変形が当業者にとって明らかとなることから、説明のためだけに与えられている。
【００１４】
[0014]  本発明の性質および利点のさらなる理解が、以下の図面を参照することによって実現され得る。添付の図面では、類似のコンポーネントや特徴が、同一の参照ラベルを有し得る。さらに、同一タイプの様々なコンポーネントは、ダッシュおよび類似のコンポーネント同士を区別する第２のラベルを参照ラベルに続けることによって区別され得る。第１の参照ラベルのみが明細書において使用される場合、その説明は、第２の参照ラベルにかかわらず、同じ第１の参照ラベルを有する類似のコンポーネントのうちのいずれにも適用可能である。
【図面の簡単な説明】
【００１５】
【図１】図１は、無線通信システムの図を示す。
【図２】図２は、様々な例による、無ライセンススペクトルにおいてＬＴＥ（登録商標）を使用するための展開シナリオの例を例示する無線通信システムの図を示す。
【図３】図３は、様々な例による、無ライセンススペクトルにおけるキャリア周波数、およびずらしパターンに従うキャリア周波数上での共通情報の送信の例を例示する。
【図４】図４は、様々な例による、無ライセンススペクトルにおけるキャリア周波数、およびずらしパターンに従うキャリア周波数上での共通情報の送信の別の例を例示する。
【図５】図５は、様々な例による、無ライセンススペクトルにおけるキャリア周波数、およびずらしパターンに従うキャリア周波数上での共通情報の送信の別の例を例示する。
【図６Ａ】図６Ａは、様々な例による、無線通信において使用するための、ｅＮＢまたはＵＥのような、デバイスの例のブロック図を示す。
【図６Ｂ】図６Ｂは、様々な例による、無線通信において使用するための、ｅＮＢまたはＵＥのような、デバイスの例のブロック図を示す。
【図７】図７は、様々な例による、ｅＮＢアーキテクチャの例を例示するブロック図を示す。
【図８】図８は、様々な例による、ＵＥアーキテクチャの例を例示するブロック図を示す。
【図９】図９は、様々な例による、多入力多出力(ＭＩＭＯ)通信システムの例を例示するブロック図を示す。
【図１０】図１０は、様々な例による、無ライセンススペクトルを(例えば、ｅＮＢで)使用する無線通信のための方法の例のフローチャートである。
【図１１】図１１は、様々な例による、無ライセンススペクトルを(例えば、ｅＮＢで)使用する無線通信のための方法の例のフローチャートである。
【図１２】図１２は、様々な例による、無ライセンススペクトルを(例えば、ＵＥで)使用する無線通信のための方法の例のフローチャートである。
【図１３】図１３は、様々な例による、無ライセンススペクトルを(例えば、ＵＥで)使用する無線通信のための方法の例のフローチャートである。
【発明を実施するための形態】
【００１６】
[0026]  本開示は、無ライセンススペクトル(例えば、ＷｉＦｉ通信のために典型的に使用されるスペクトル)がセルラー通信(例えば、ロングタームエボリューション(ＬＴＥ)通信)のために利用され得る方法、装置、システム、およびデバイスを意図する。特に、開示された例の方法、装置システム、およびデバイスは無ライセンススペクトルにおけるチャネルへの接続速度を改善すること、および／または無ライセンス周波数帯域で動作するときに生じ得る電力の制約を克服することを意図する。
【００１７】
[0027]  セルラーネットワークから無ライセンススペクトルへのトラフィックの負荷軽減が増え続けるにつれ、無ライセンススペクトルへの接続が、無ライセンススペクトルに接続するための同じまたは異なる技術を使用する同じまたは異なる事業者展開のアクセスポイントが無ライセンススペクトル内で共存することを確実にするように調整されることが必要になり得る。いくつかの場合、共通情報が無ライセンススペクトル上で多数の異なる受信機またはユーザ機器(ＵＥ)へ送信され得る。こうした共通情報は、例えばｅＮＢと関連付けられた同期情報、ｅＮＢからの同報チャネル情報、またはＵＥによって受信され得るページング情報を含み得る。共通情報は無ライセンススペクトルの多数の異なるキャリア周波数上で送信され得る。無ライセンススペクトルのキャリア周波数のセットは共通情報の送信における使用のために識別され得、ずらしパターンはキャリア周波数のセットにおけるキャリア周波数の各々にわたって共通情報の全てまたは一部を送信するために採用され得る。ずらしバーンは、情報が異なるキャリア周波数上で異なる時間に送信されるようにさせ得る。キャリア周波数のうちの１つ上の情報の検出は、ずらしパターンを導くために使用され得る情報を提供し得る。キャリア周波数の各々上での共通情報送信の持続期間は、無ライセンススペクトルの利用可能性を決定するためのＣＣＡが必要とされないように選択され得る。
【００１８】
[0028]  本明細書で説明された技術は、ＬＴＥに限定されず、ＣＤＭＡ、ＴＤＭＡ、ＦＤＭＡ、ＯＦＤＭＡ、ＳＣ−ＦＤＭＡおよび他のシステムなどの、様々な無線通信システムのために使用され得る。「システム」および「ネットワーク」という用語は、しばしば同義で使用される。ＣＤＭＡシステムは、ＣＤＭＡ2000、ユニバーサル地上無線アクセス（ＵＴＲＡ）などのような無線技術を実装し得る。ＣＤＭＡ２０００は、ＩＳ−２０００、ＩＳ−９５およびＩＳ−８５６規格をカバーする。ＩＳ−２０００リリース０およびＡは、通常、ＣＤＭＡ２０００ １Ｘ、１Ｘ、などと称される。ＩＳ−８５６（ＴＩＡ−８５６）は、通常、ＣＤＭＡ２０００ １ｘＥＶ−ＤＯや、高速パケットデータ（ＨＲＰＤ）、などと称される。ＵＴＲＡは、広帯域ＣＤＭＡ（ＷＣＤＭＡ（登録商標））およびＣＤＭＡの他の変形を含む。ＴＤＭＡシステムは、グローバル移動体通信システム（ＧＳＭ）（登録商標）のような無線技術を実装し得る。ＯＦＤＭＡシステムは、ウルトラモバイル・ブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡなどのようなラジオ技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））という名称の機関による文書において説明されている。ｃｄｍａ２０００およびＵＭＢは、「第３世代パートナーシッププロジェクト２」（３ＧＰＰ２）という名称の期間からの文書において説明されている。本明細書で説明される技術は、上述されたシステムおよび無線技術のみならず、他のシステムおよび無線技術に使用され得る。しかしながら、下記の説明は、例の目的でＬＴＥシステムを説明しており、ＬＴＥ用語が下記の説明の大部分において使用されているが、この技術はＬＴＥ適用の範囲を超えて適用可能である。
【００１９】
[0029]  以下の説明は例を提供するものであり、特許請求の範囲において記載される範囲、適用性、または構成を限定するものではない。本開示の精神および範囲から逸脱することなく、説明される要素の機能および展開において変更がなされ得る。様々な例は、必要に応じて、様々なプロシージャまたはコンポーネントを省略、代用、または追加し得る。例えば、説明される方法は、説明されるものとは異なる順序で行われることができ、また、様々なステップが追加、省略、または組み合わされることができる。また、特定例について説明される特徴は、その他の例において組み合わされ得る。
【００２０】
[0030]  まず図１を参照すると、ブロック図が無線通信システム１００の例を示す。無線通信システム１００は、複数の無線アクセスポイント(例えば、基地局、ｅＮＢ、またはＷＬＡＮアクセスポイント)１０５、多数のユーザ機器(UE)、およびコアネットワーク１３０を含む。いくつかのアクセスポイント１０５は、様々な例においてコアネットワーク１３０または特定のアクセスポイント１０５(例えば、基地局またはｅＮＢ)の一部であり得る基地局コントローラ（図示されない）の制御下で通信デバイス１１５と通信し得る。いくつかのアクセスポイント１０５は、バックホールリンク１３２を通して、コアネットワーク１３０と制御情報および／またはユーザデータを通信し得る。いくつかの例では、いくつかのアクセスポイント１０５が、直接的にあるいは間接的に、ワイヤードまたは無線通信リンクであり得るバックホールリンク１３４上で互いに通信し得る。無線通信システム１００は、複数のキャリア（異なる周波数の波形信号）上の動作をサポートし得る。マルチキャリア送信機は、変調された信号を複数のキャリア上で同時に送信できる。例えば、各通信リンク１２５は、上述した様々な無線技術に従って変調されたマルチキャリア信号であり得る。各変調された信号は、異なるキャリア上で送られ、制御情報（例えば、参照信号、制御チャネル、など）、オーバヘッド情報、データ、などを搬送し得る。
【００２１】
[0031]  アクセスポイント１０５は１つまたは複数のアクセスポイントアンテナを経由して複数のＵＥ１１５とワイヤレスで通信し得る。アクセスポイント１０５の各々は、該当の地理的エリア１１０のために通信カバレッジを提供し得る。いくつかの例において、アクセスポイント１０５は、基地局、基地トランシーバ局(ＢＴＳ)、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、または何かの他の適切な用語で称され得る。アクセスポイントのためのカバレッジエリア１１０は、カバレッジエリア（図示されない）の一部のみを構成する複数のセクタに分割され得る。無線通信システム１００は、異なるタイプのアクセスポイント１０５（例えば、マクロ、マイクロ、および／またはピコ基地局）を含み得る。アクセスポイント１０５はまた、セルラーおよび／またはＷＬＡＮ無線接続技術のような異なる無線技術を利用し得る。アクセスポイント１０５は同じまたは異なるアクセスネットワークまたは事業者展開と関連付けられ得る。異なるアクセスポイント１０５のカバレッジエリアであって、これらアクセスポイントの同じまたは異なるタイプのカバレッジエリアを含み、同じまたは異なる無線技術を利用し、および／または同じまたは異なるアクセスネットワークに属するカバレッジエリアは、オーバーラップし得る。
【００２２】
[0032]  いくつかの例で、無線通信システム１００は、無ライセンス周波数スペクトルにおいて１つまたは複数の動作のモードまたは展開シナリオをサポートするＬＴＥ／ＬＴＥ−Ａ通信システム(または、ネットワーク)を含み得る。いくつかの別の例で、無線通信システム１００は、無ライセンススペクトルおよび無ライセンススペクトル上で為されるＬＴＥとは異なる接続技術、あるいはライセンススペクトルおよびＬＴＥ／ＬＴＥ−Ａとは異なる接続技術を使用して無線通信をサポートし得る。ＬＴＥ／ＬＴＥ−Ａ通信システムで、発展型ノードＢまたはｅＮＢという用語は通常アクセスポイント１０５の説明に一般に使用され得る。無線通信システム１００は、異なるタイプのｅＮＢが様々な地理的エリアにカバレッジを提供する異種ネットワークであり得る。例えば、各ｅＮＢ１０５は、マクロセル、ピコセル、フェムトセル、および／または他のタイプのセルのために通信カバレッジを提供し得る。ピコセル、フェムトセル、および／または他のタイプのセルのような小さいセルは低電力ノードまたはＬＰＮを含み得る。マクロセルは、一般に、比較的広い地理的エリア（例えば、半径数キロメートル）をカバーし、ネットワークプロバイダにサービス加入しているＵＥによる制限のないアクセスを可能にし得る。ピコセルは、一般に、比較的より狭い地理的エリアをカバーし、ネットワークプロバイダにサービス加入しているＵＥによる制限のないアクセスを可能にし得る。フェムトセルもまた、一般に、比較的狭い地理的エリア（例えば、家）をカバーし、制限のないアクセスに加え、フェムトセルとの関連付けを有するＵＥ（例えば、クローズドサブスクライバグループ（ＣＳＧ）にあるＵＥ、家の中のユーザのためのＵＥ、など）による制限されたアクセスをも提供し得る。マクロセルのためのｅＮＢは、マクロｅＮＢと称され得る。ピコセルのためのｅＮＢは、ピコｅＮＢと称され得る。また、フェムトセルのためのｅＮＢは、フェムトｅＮＢまたはホームｅＮＢと称され得る。ｅＮＢは、１つまたは複数の（例えば、２つ、３つ、４つ、などの）セルをサポートし得る。
【００２３】
[0033]  コアネットワーク１３０は、バックホールリンク１３２（例えば、Ｓ１、など）を経由してｅＮＢ１０５と通信し得る。ｅＮＢ１０５は、また、バックホールリンク１３４（例えば、Ｘ２、など）および／またはバックホールリンク１３２を経由して（例えば、コアネットワーク１３０を通じて）互いに、例えば直接あるいは間接的に通信し得る。無線通信システム１００は、同期または非同期動作をサポートし得る。同期動作の場合、ｅＮＢが同様のフレームおよび／またはゲーティングタイミング(frame and/or gating timing)を有し、異なるｅＮＢからの送信が時間内においてほぼ揃えられ（approximately aligned in time）得る。非同期動作の場合、ｅＮＢが異なるフレームおよび／またはゲーティングタイミングを有し、異なるｅＮＢからの送信が時間内において揃えられないことがある。本明細書で説明される技法は、同期または非同期動作のいずれかに使用され得る。
【００２４】
[0034]  ＵＥ115は無線通信システム１００全体に散らばり、各ＵＥは固定式または移動式であり得る。ＵＥ１１５はまた、当業者によって、モバイルデバイス、モバイル局、加入者局、モバイルユニット、加入者ユニット、無線ユニット、遠隔ユニット、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、または何かの他の適切な用語と称され得る。ＵＥ１１５は、セルラー電話、携帯情報端末（ＰＤＡ）、ワイヤレスモデム、ハンドヘルドデバイス、タブレットコンピュータ、ラップトップコンピュータ、コードレス電話、時計やメガネのような着用品、ワイヤレスローカルループ（ＷＬＬ）局、などであり得る。ＵＥ１１５は、マクロｅＮＢ、ピコｅＮＢ、フェムトｅＮＢ、リレー、などと通信可能であり得る。ＵＥ１１５はまた、セルラー、または他のＷＷＡＮ接続ネットワーク、またはＷＬＡＮ接続ネットワークのような異なる接続ネットワーク上で通信可能であり得る。
【００２５】
[0035]  無線通信システム１００に示される通信リンク１２５はアップリンク(ＵＬ)送信(例えば、ＵＥ１１５からｅＮＢ１０５への)を搬送するアップリンクおよび／またはダウンリンク(ＤＬ)送信(例えば、ｅＮＢからＵＥ１１５への)を搬送するダウンリンクを含み得る。また、ダウンリンク送信が順方向リンク送信と呼ばれる一方で、アップリンク送信がまた逆方向リンク送信と呼ばれ得る。ダウンリンク送信はライセンススペクトル、無ライセンススペクトル、または両方を使用して為され得る。同様に、アップリンク送信はライセンススペクトル、無ライセンススペクトル、または両方を使用して為され得る。
【００２６】
[0036]  無線通信システム１００のいくつかの例では、無ライセンススペクトル上でのＬＴＥ通信のための様々な展開シナリオがサポートされ得、ライセンススペクトルにおけるＬＴＥダウンリンク容量が無ライセンススペクトルへ肩代わり(offload)される補助ダウンリンクモード(supplemental downlink mode)、ＬＴＥダウンリンクおよびアップリンク容量がライセンススペクトルから無ライセンススペクトルへ肩代わりされるキャリアアグリゲーションモード、および基地局(例えば、ｅＮＢ)およびＵＥ間のＬＴＥダウンリンクおよびアップリンク通信が無ライセンススペクトルにおいて行われるスタンドアローンモードを含む。ＯＦＤＭＡ通信信号は無ライセンスおよび／またはライセンススペクトルにおけるＬＴＥダウンリンク送信のための通信リンク１２５において使用され得、一方でＳＣ−ＦＤＭＡ通信信号は無ライセンスおよび／またはライセンススペクトルにおけるＬＴＥアップリンク送信のための通信リンク１２５において使用され得る。無ライセンススペクトルを使用する送信は無ライセンススペクトルにおける１つまたは複数のキャリア周波数を使用して行われ得る。例えば、周波数帯域は、複数のキャリア周波数に分割され得、各キャリア周波数は同一帯域幅または異なる帯域幅を有し得る。
【００２７】
例えば、各キャリア周波数は５ＧＨｚの周波数帯域のうちの２０ＭＨｚを占有する。
【００２８】
[0037]  多くの展開では、無ライセンススペクトルを使用して送信することを求めるデバイスが、スペクトルがこのような送信における使用のため利用可能であること、すなわちスペクトルが１つまたは複数の他のデバイスによって使用されていないことを確認することが必要であり得る。このような動作の１つはクリアチャネル評価またはＣＣＡとして知られ、無ライセンススペクトルの利用可能性を決定するために使用され得る。ＣＣＡの実施(performance)は、一般に所望のスペクトルが始まりの送信前に逆に占有されていないことをチェックすることを伴う。こうした技法は当該技術において知られ、それゆえ簡潔さのためにここでさらに詳しく説明されない。いくつかの展開では、しかしながら、送信機がＣＣＡを行わずにショートバーストを送信し得る。このような展開では、送信機が、あるパーセンテージの送信デューティサイクルまでＣＣＡを行わずに送信することを認められ得る。例えば、送信機はＣＣＡを行わずに５０ｍｓの送信デューティサイクル上で２(ｍｓ)を越えないバーストを送信することを認められ得る。ここで説明されるいくつかの例によれば、送信機が多数の受信機へ共通情報を送信するためこのようなバーストを使用し得る。例えば、ｅＮＢは、同期情報を多数のＵＥへ送信するためにショートバーストを使用し得る。このようなショートバーストを使用する同期情報の送信はＵＥの電力およびメモリ使用を結果として(in turn)増大し得るチャネルへのより速い接続を提供し得る。共通情報の送信のためのショートバーストの使用はまた、増大されたスペクトル利用を与え得る。ＵＥ１１５と同様に基地局またはｅＮＢ１０５は、１つまたは複数のこれらまたは同様の動作のモードをサポートし得る。無ライセンススペクトル上のＬＴＥの動作に関する他の特徴および機能と同様に、無ライセンススペクトル上のＬＴＥの実現や無線通信システム１００のようなシステムにおける動作のモードに関する追加の詳細が図２−図１３を参照して以下に提供される。
【００２９】
[0038]  次に図２へ移ると、無線通信システム２００が補助ダウンリンクモードおよび無ライセンススペクトル上のＬＴＥをサポートする補助ＬＴＥネットワークのためのキャリアアグリゲーションの例を例示する。
【００３０】
無線通信システム２００は、図１を参照して説明された無線通信システム１００の一部の例であり得る。さらに、ｅＮＢ２０５が図１のアクセスポイント１０５のうちの１つの例であり得る一方で、ＵＥ２１５が図１を参照して説明されたＵＥ１１５の例であり得る。
【００３１】
[0039]  無線通信システム２００における補助ダウンリンクモードの例で、ｅＮＢ２０５はダウンリンク２２０を使用してＵＥ２１５へＯＦＤＭＡ通信信号を送信し得る。ダウンリンク２２０は無ライセンススペクトルにおける周波数と関連付けられ得る。ｅＮＢ２０５は双方向リンク２２５を使用して同じＵＥ２１５へＯＦＤＭＡ通信信号を送信し得、双方向リンク２２５を使用してそのＵＥ２１５からＳＣ−ＦＤＭＡ通信信号を受信し得る。双方向リンク２２５はライセンススペクトルにおける周波数と関連付けられ得る。無ライセンススペクトルにおけるダウンリンク２２０およびライセンススペクトルにおける双方向リンク２２５は同時に動作し得る。ダウンリンク２２０はｅＮＢ２０５のためのダウンリンク容量負荷軽減(downlink capacity offload)を提供し得る。いくつかの例で、ダウンリンク２２０はユニキャストサービス(例えば、１つのＵＥに宛てられた)のために、またはマルチキャストサービス(例えば、いくつかのＵＥに宛てられた)のために使用され得る。このシナリオは、ライセンススペクトルを使用し、トラフィックおよび／またはシグナリング混雑のいくつかを緩和する必要のある何らかのサービスプロバイダ(例えば、これまでの(traditional)モバイルネットワーク事業者またはＭＮＯ)で生じ得る。
【００３２】
[0040]  無線通信システム２００におけるキャリアアクリゲーションモードの例で、ｅＮＢ２０５は双方向リンク２３０を使用してＵＥ２１５−ａへＯＦＤＭＡ通信信号を送信し得、双方向リンク２３０を使用して同じＵＥ２１５−ａからＳＣ−ＦＤＭＡ通信信号を受信し得る。双方向リンク２３０は無ライセンススペクトルにおける周波数と関連付けられ得る。ｅＮＢ２０５はまた、双方向リンク２３５を使用して同じＵＥ２１５−ａへＯＦＤＭＡ通信信号を送信し得、双方向リンク２３５を使用して同じＵＥ２１５−ａからＳＣ−ＦＤＭＡ通信信号を受信し得る。双方向リンク２３５はライセンススペクトルにおける周波数と関連付けられ得る。双方向リンク２３０はｅＮＢ２０５のためのダウンリンクおよびアップリンク容量負荷軽減(downlink and uplink capacity offload)を提供し得る。上で説明された補助ダウンリンクのように、このシナリオは、ライセンススペクトルを使用し、トラフィックおよび／またはシグナリング混雑のいくつかを緩和する必要のある何らかのサービスプロバイダ(例えば、ＭＮＯ)で生じ得る。
【００３３】
[0041]  無線通信システム２００におけるキャリアアグリゲーションモードの別の例で、ｅＮＢ２０５は双方向リンク２４０を使用してＵＥ２１５−ｂへＯＦＤＭＡ通信信号を送信し得、双方向リンク２４０を使用して同じＵＥ２１５−ｂからＳＣ−ＦＤＭＡ通信信号を受信し得る。双方向リンク２４０は無ライセンススペクトルにおける周波数と関連付けられ得る。ｅＮＢ２０５はまた、双方向リンク２４５を使用して同じＵＥ２１５−ｂへＯＦＤＭＡ通信信号を送信し得、双方向リンク２４５を使用して同じＵＥ２１５−ｂからＳＣ−ＦＤＭＡ通信信号を受信し得る。双方向リンク２４５はライセンススペクトルにおけるリンク２３５の周波数と関連付けられ得る。双方向リンク２４０はｅＮＢ２０５のためのダウンリンクおよびアップリンク容量負荷軽減(downlink and uplink capacity offload)を提供し得る。この例および上で与えられた例は例示目的で提示されるもので、他の同様な動作のモードまたは容量負荷軽減のためにライセンスおよび無ライセンススペクトル上のＬＴＥ通信を組み合わせる展開シナリオがあり得る。
【００３４】
[0042]  上で説明されたように、無ライセンススペクトルにおけるＬＥＴを使用することによって容量負荷軽減の恩恵を得る典型的サービスプロバイダはＬＴＥスペクトルを持つこれまでのＭＮＯであり得る。これらサービスプロバイダの場合、動作構成がライセンススペクトル上のＬＴＥ一次コンポーネントキャリア(ＰＣＣ)および無ライセンススペクトル上のＬＴＥ二次コンポーネントキャリア(ＳＣＣ)を使用するブートストラップモード(例えば、補助ダウンリンク、キャリアアグリゲーション)を含み得る。
【００３５】
[0043]  補助ダウンリンクモードでは、無ライセンススペクトル上のＬＴＥのための制御がライセンススペクトルにおけるＬＴＥアップリンク(例えば、双方向リンク２２５のアップリンク部)上で搬送され得る。ダウンリンク容量負荷軽減を提供することの理由のうちの１つは、データ要求が主としてダウンリンク消費によって為されることにある。さらに、このモードでは、ＵＥ２１５が無ライセンススペクトルで送信していないことから、規制影響力がないことになる。
【００３６】
[0044]  キャリアアグリゲーションモードでは、データおよび制御がライセンススペクトル(例えば、双方向リンク２３５および２４５)上のＬＴＥにおいて通信され得る一方で、データが無ライセンススペクトル(例えば、双方向リンク２３０および２４０)上のＬＴＥにおいて通信され得る。無ライセンススペクトル上のＬＴＥを使用する場合にサポートされるキャリアアクリゲーションメカニズムは、複数のコンポーネントキャリアにわたって異なる対称性を持つＴＤＤ−ＴＤＤキャリアアグリゲーションまたはハイブリッド周波数分割複信時分割複信（ＦＤＤ−ＴＤＤ）キャリアアグリゲーションに該当する。
【００３７】
[0045]  様々な動作モードのいずれかにおいて、通信は無ライセンススペクトルにおける１つまたは複数のキャリア周波数上で送信され得る。上述のように、ＵＥ２１５がｅＮＢ２０５との１つまたは複数の通信チャネルへのチャネル接続を取得することを所望するときはいつも、ＵＥ２１５が例えばｅＮＢ２１５との接続の確立または再確立を要求し得る。このような要求を送信する前に、ＵＥ２１５は、ＵＥ２１５がこのような要求をいつどのように送信するかを決定し得る、チャネルの１つまたは複数の様々な特性を決定する必要があり得る。いくつかの例では、ｅＮＢ２０５がチャネル接続を取得するためにＵＥ２１５のようなＵＥによって使用され得る情報のバーストを送信し得る。上述のように、このようなバーストは、そのような送信の前に行われるべきＣＣＡを要求することなく送信され得る。いくつかの例では、ＵＥ２１５がこうしたバーストいつ期待するかの知識を持ち得、例えばｅＮＢ２０５の同期情報を決定するためにこのバーストを復号し得る。別の例では、こうしたバーストが例えば同報情報またはページング情報のような他の情報を含み得る。このような情報の送信は、ＵＥ２１５が同期を検出して例えば同報チャネルを復号することを容易にし得る。
【００３８】
[0046]  図３は様々な例によって無ライセンススペクトルを使用して送信された共通情報の例のずらしパターン３００を例示する。特に、ずらしパターン３００は共通情報送信が無ライセンススペクトルの異なる周波数上で時間内においてどのようにずらされ得るかを示す。図３の例で、無ライセンススペクトルは、共通情報の送信を含み得るキャリア周波数３０５−３２０のセットを持つ多数のキャリア周波数を含む。いくつかの例では、キャリア周波数のセットが複数のクラスタ間で協調されている共通情報(例えば、同期情報および同報チャネル情報)の送信を持つクラスタとしてグループ化され得る。いくつかの例で、無ライセンスキャリア周波数３０５−３２０は、図１および／または図２を参照して説明されたｅＮＢ１０５、２０５および／またはＵＥ１１５、２１５のうちの１つまたは複数によって使用されるキャリア周波数の例であり得る。上で論じられたように、共通情報はショート送信バーストを使用してｅＮＢから１つまたは複数のＵＥへ送信され得る。こうした共通情報は無ライセンススペクトルのキャリア周波数３０５−３２０のセットを使用して送信され得る。
【００３９】
[0047]  いくつかの例では、キャリア周波数のセットにおける各キャリア周波数３０５−３２０が共通情報を含み得る。例えば、第１(Ｆ１)キャリア周波数３０５が同期情報３２５を含み得、第２(Ｆ２) キャリア周波数３１０が同期情報３３０を含み得、第３(Ｆ３)キャリア周波数３１５が同期情報３３５を含み得、第４(Ｆ４) キャリア周波数３２０が同期情報３４０を含み得る。同様に、各キャリア周波数３０５−３２０が同報チャネル情報３４５−３６０を含み得る。いくつかの例によれば、各キャリア周波数３０５−３２０上の同期情報３２５−３４０および同報情報３４５−３６０送信の組合せ持続期間は所定時間期間よりも少ないことがあり得る。いくつかの例では、組合せ持続期間が無ライセンススペクトルの利用可能性を決定するために他にはＣＣＡを要求する時間期間よりも少ないことがあり得る。従って、こうした場合、同期情報３２５−３４０および同報情報３４５−３６０送信を含む共通情報送信がＣＣＡを行うこうなく送信され得る。
【００４０】
[0048]  図３の例では、各キャリア周波数３０５−３２０が連続したブロック(contiguous block)において同期情報３２５−３４０および同報チャネル情報３４５−３６０を含む。しかしながら、別の例では、そのいくつかは以下に説明され、各キャリア周波数３０５−３２０が同期情報３２５−３４０および／または同報情報３４５−３６０のうちの１つまたは複数のサブセットを含み得る。加えて、こうした同期情報３２５−３４０および同報情報３４５−３６０は、両方がキャリア周波数３０５−３２０のうちの１つ上で送信される場合に、連続的にまたは非連続的に送信され得る。様々な例によれば、キャリア周波数のセットにおけるキャリア周波数３０５−３２０の各々にわたってこうした共通情報３２５−３６０を送信するためのずらしパターンが提供され得る。図３の例では、同期情報３２５および同報情報３４５が時間ｔ１にキャリア周波数Ｆ１  ３０５上で送信される。ｔ１後のある時間で、同期情報および同報情報３５５が時間ｔ２にキャリア周波数Ｆ３  ３１５上で送信される。時間ｔ３に 、この例では、同期情報３３０および同報情報３５０がキャリア周波数Ｆ２  ３１０上で送信される。最後に、時間ｔ４に、同期情報３４０および同報情報３６０がキャリア周波数Ｆ４  ３２０上で送信される。
【００４１】
[0049]  上述のように、いくつかの展開で、ＣＣＡ手続きは、送信が所定の長さより少ないときに必要され得ない。特に、ＣＣＡ手続きは、例えば送信がデューティサイクルの小さいパーセンテージを占有するショートバーストであるときに使用され得ない。様々な例によれば、同期情報３０５−３２０および同報情報３４５−３６０を包含する送信の持続期間は、行われるべきＣＣＡ手続きを必要とする送信持続期間よりも少なくなるように選択される。いくつかの例で、ｅＮＢは、１つまたは複数のＵＥに送信され得る、またはＵＥが共通情報を包含する送信のうちの１つまたは複数の検出に基づいて導出し得る、設定スケジュール(すなわち、定義されたずらしパターンを使用して)に従って所定の時間期間中に共通情報を送信し得る。言いかえると、共通情報が従って送信されるスケジュールが予め定義されｅＮＢによってＵＥへシグナルされ得る。
【００４２】
代替的に、ずらしパターンは、ＵＥが共通情報を包含する送信のサブセットを検出することによって共通情報の全送信パターンを決定できるように符号化され得る。
【００４３】
[0050]  図３の例に続き、キャリア周波数３０５−３２０のセットは、共通情報が従って送信される、ｔ１からｔ４の時間スケジュールと一緒にＵＥに提供され得る。いくつかの例では、キャリア周波数の予め定義されたセットのクラスタがスケジュールと一緒にＵＥへシグナリングされ得る。ＵＥは、共通情報を得るために特定の時間(particular time)に、選択されたキャリア周波数上の共通情報送信を求めてサーチし得る。例えば、ＵＥは、同期情報３２５および同報情報３４５を得るために時間ｔ１にキャリア周波数３０５をサーチし得る。別の例では、ＵＥが異なるキャリア周波数上の送信の相対時間(relative times)に関する情報を提供され得、共通情報送信(例えば、同期情報３２５−３４０)の検出に伴って、ＵＥが他のキャリア周波数および他の共通情報の送信の時間(times of transmission)を導出し得る。さらに別の例では、ＵＥがキャリア周波数のうちの１つ上の共通情報送信から一度に一つずつ他の共通情報送信のキャリア周波数および時間を導出し得る。この例によれば、各検出された共通情報送信がＵＥに他の共通情報送信のキャリア周波数および時間に関する情報を提供し、各新たに検出された共通情報送信がＵＥに別の共通情報送信のキャリア周波数および時間についての情報を提供するようにし得る。
【００４４】
[0051]  いくつかの例では、受信機(例えば、ＵＥ)がずらしパターンの全持続期間についてキャリア周波数のうちの１つをサーチすることでキャリア周波数送信３２５−３６０を求めてサーチし得、またはキャリア周波数のセットのうちの各々を並列にサーチし得る。ＵＥがずらしパターン上の情報を受信するいくつかの例では、こうした情報がシステム情報ブロック(ＳＩＢ)または例えば、ｅＮＢからの無線リソース制御(ＲＲＣ)構成／再構成メッセージにおいて半静的にＵＥに提供され得る。ずらしパターンはまた、キャリア周波数３０５−３２０の１つまたは複数上で送信された同期情報３２５−３４０または同報情報３４５−３６０に含まれ得る。いくつかの例で、キャリア周波数３０５−３２０のセットはアンカーまたは固定周波数(例えば、キャリア周波数３０５)を、利用可能なキャリア周波数のグループから選択されるフレキシブルキャリア周波数である、キャリア周波数の残り(例えば、キャリア周波数３１０−３２０)と共に含み得る。こうした例では、ＵＥまたは別の受信機が共通情報送信のためのアンカー周波数３０５をモニタし、アンカー周波数の共通情報送信に包含される情報に基づいて他の周波数３１０−３２０および／またはずらしパターン送信時間(例えば、ｔ１−ｔ４)を決定し得る。上で説明されたものと同様に、こうしたずらしパターン情報が明示的に送信されたり、受信された共通情報において提供されうる相対的な周波数および／または送信時間から導出されたりし得る。
【００４５】
[0052]  図３の例では、送信時間ｔ１からｔ４および関連付けられたキャリア周波数３０５−３２０がずらしパターンの時間期間中の多数の異なる時間に送信３２５−３６０における共通情報の少なくとも一部を提供するように選択され得る。複数のキャリア周波数３０５−３２０にわたるこうしたずらしパターンに従って共通情報３２５−３６０を送信することによって、共通情報が時間が経つにつれて異なるキャリア周波数を占有するものの、共通情報のより頻繁な送信が達成され得る。共通情報をサーチする、ＵＥのような受信機は、こうしたサーチを開始してからキャリア周波数３０５−３２０のうちの１上の送信の時間までの時間が比較的短いものであり得ることから、低減されたサーチ時間を有すことが可能であり得る。こうしたずらしパターンはまた、共通情報送信３２５−３６０を包含する複数の送信バーストの合計時間がＣＣＡが必要とされる時間よりも少なく残り、いずれか特定のキャリアキャリア周波数３０５−３２０上で発生し得る干渉低減することを可能にする。加えて、ずらしパターンに従った共通情報の送信はまた、電力が制約され得る無ライセンス周波数帯域において動作するときの電力の制御および／または低減を助け得る。いくつかの例によれば、電力使用が共通情報を１つのキャリア周波数(または、選択された数のキャリア)上で送信する一方で残りのキャリアまたはサブセットのキャリアを消すことによって制御および／または低減され得る。他のキャリアののうちの１つ上の送信中にサブセットのキャリアを消すことは、より電力を送信キャリアに集中されることからより大きなカバレッジを達成することを助け得る。
【００４６】
[0053]  いくつかの場合、複数のｅＮＢが同じずらしパターンに従って共通情報を送信し得る。いくつかの場合、異なるｅＮＢが異なるネットワーク事業者によって動作され得、または同じネットワーク事業者によって動作され得る。いくつかの例によれば、第１のｅＮＢによって送信されたキャリア周波数３０５−３２０上のずらしパターンに従って共通情報３２５−３６０を受信する受信機は、周波数間測定(inter-frequency measurement)目的で他のｅＮＢにずらしパターンを報告し得、周波数間測定がこのずらしパターンからの情報を使用して行われ得る。ｅＮＢはこうした情報を他の受信機に提供し、共通情報送信についてのサーチおよび/または周波数間測定を行うことにおいて他の受信機を支援するようにし得る。
【００４７】
[0054]  共通情報が同期および／または同報情報を含むものとして上で説明される一方で、こうした共通情報はまた他の情報を含み得る。例えば、いくつかの例で、共通情報はＵＥのためのページング機会中に送信され、特定のＵＥのために識別されたページング情報を含み得、ＵＥのためのページング機会はＵＥ  ＩＤおよび／またはキャリアインデックスの関数であり得、このため複数のキャリア周波数上でページング機会を提供する。ＵＥはＵＥのためのページング機会に基づいて共通情報送信３２５−３６０の部分をモニタし、ページング情報がＵＥに提供されているかどうかを決定し得る。このため、ページング情報は複数の異なるキャリア周波数に含まれ得るもので、このためこれがＵＥのページングのための追加のページング機会を提供でき、ＵＥにページングメッセージを提供することにおける遅延を低減できる。ページング情報は、当該技術で知られるように、システム情報変化についてＵＥに通知するために使用されること、および／または例えば、ＥＴＷＳ(地震および津波警報システム)またはＣＭＡＳ(商用モバイル警報システム)警報のようなユーザへの警報を提供することに使用され得る。
【００４８】
[0055]  さらなる例で、キャリア周波数のセットの異なるキャリア周波数上で送信された共通情報は異なる情報を含み得る。図４は様々な例による無ライセンススペクトルを使用して送信された共通情報のずらしパターンを例示する。上で説明された図３の例を伴って図４の例では、無ライセンススペクトルが多数のキャリア周波数を、共通情報の送信を含み得るキャリア周波数４０５−４２０のセットと共に含む。いくつかの例で、無ライセンスキャリア周波数４０５−４２０は、図１および／または図２を参照して説明されたｅＮＢ１０５、２０５および／またはＵＥ１１５、２１５のうちの１つまたは複数によって使用されたキャリア周波数の例であり得る。図４の例では、キャリア周波数４０５および４１５が、送信された共通情報の異なる部分をキャリア周波数４１０および４２０よりも含み得る。複数のキャリア周波数４０５−４２０にわたって送信された共通情報はフルセットの共通情報を得るためにこの例において組み合わされ得る。例えば、第１(Ｆ１)および第３(Ｆ３)のキャリア周波数４０５、４１５は同期情報４２５、４３５および同報情報４４５、４５５をそれぞれ含み得る。第２(Ｆ２)および第４(Ｆ４)のキャリア周波数４１０、４２０は同期情報４３０、４４０だけを含み得る。さらに、いくつかの例で、各同期情報送信４２５−４４０は、ｅＮＢから送信された完全な同期情報を生成するために組み合わされ得るサブセットの同期情報を含み得る。
【００４９】
[0056]  上で論じたものと同様に、様々な例によれば、キャリア周波数のセットにおけるキャリア周波数４０５−４２０の各々にわたってこうした共通情報４２５−４５５を送信するためのずらしパターンがＵＥに提供されるか、またはキャリア周波数４０５−４２０間の関係の知識および共通情報の送信の時間ｔ１−ｔ４の各々の相対的タイミングに基づいてＵＥによって導出され得る。共通情報４２５−４５５は同様な情報を含み、図３の例について上で説明されたような同様の目的で使用され得る。
【００５０】
[0057]  さらなる例で、キャリア周波数のセットの異なるキャリア周波数上で送信された共通情報は該当キャリアの利用可能な帯域幅よりも少なく占有し得る。図５は、様々例による無ライセンススペクトルを使用して送信された共通情報のずらしパターン５００を例示する。上で説明された図３および図４の例を伴って図５の例では、無ライセンススペクトルが多数のキャリア周波数を、共通情報の送信を含み得るキャリア周波数５０５−５２０のセットと共に含む。いくつかの例で、無ライセンスキャリア周波数５０５−５２０は、図１および／または図２を参照して説明されたｅＮＢ１０５、２０５および／またはＵＥ１１５、２１５のうちの１つまたは複数によって使用されたキャリア周波数の例であり得る。図５の例では、図４を参照して上で説明されたものと同様に、キャリア周波数５０５および５１５が、送信された共通情報の異なる部分をキャリア周波数５１０および５２０よりも含み得る。複数のキャリア周波数５０５−５２０にわたって送信された共通情報はフルセットの共通情報を得るためにこの例において組み合わされ得る。図５の例では、同報情報５４５および５５５がキャリア周波数５０５および５１５上だけで送信され得る。
【００５１】
[0058]  さらに、図５の例では、同期情報送信５２５、５３０、５３５、および５４０がキャリア周波数、すなわちキャリア周波数５０５、５１０、５１５、および５２０の各々によってそれぞれ搬送され得る。同期送信５２５−５４０は、この例で、該当キャリア周波数５０５−５２０の全利用可能な帯域幅よりも少なく占有し得る。いくつかの展開によれば、送信機が該当キャリア周波数の帯域幅の最小量を占有する信号を送信することを必要とされ得る。例えば、送信機は利用可能な帯域幅の８０％を占有する信号を送信することを必要とされ得る。このため、同期情報５２５−５４０が利用可能な帯域幅よりも少なく占有する場合に、帯域幅の残り部分が追加の情報を送信するために使用され得る。いくつかの例で、こうした追加の情報は、信号測定や同期目的のためにも使用され得る参照信仰であり得る。
【００５２】
[0059]  上で論じたものと同様に、様々な例によれば、キャリア周波数のセットにおけるキャリア周波数５０５−５２０の各々にわたり共通情報５２５−５５５を送信するためのずらしパターンがＵＥに提供されるか、またはキャリア周波数５０５−５２０間の関係の知識および共通情報５２５−５５５の送信の時間ｔ１−ｔ４の各々の相対的タイミングに基づいてＵＥによって導出され得る。共通情報５２５−５５５は同様な情報を含み、図３および図４の例について上で説明されたような同様の目的で使用され得る。
【００５３】
[0060]  図６Ａをここで参照すると、ブロック図６００が様々な例により無線通信において使用するためのデバイス６０５を例示する。いくつかの例で、デバイス６０５は、図１および／または図２を参照して説明されたｅＮＢ１０５、２０５および／またはＵＥ１１５、２１５の１つまたは複数の態様の例であり得る。デバイス６０５もまたプロセッサであり得る。デバイス６０５は、受信機モジュール６１０、共通情報協調モジュール６２０、および／または送信機モジュール６３０を含み得る。これらコンポーネントの各々は、互いに通信状態にあり得る。
【００５４】
[0061]  デバイス６０５のコンポーネントは、個々にまたは集合的に、ハードウェアにおいて適用可能な機能のいくつかあるいは全てを行うように適合された１つまたは複数の特定用途向け集積回路（ＡＳＩＣ）で実装され得る。代替的に、機能は、１つまたは複数の集積回路上で、１つまたは複数の他の処理ユニット（またはコア）によって行われ得る。他の例では、他のタイプの集積回路（例えば、構造化（structured）／プラットフォームＡＳＩＣ、フィールドプログラマブルゲートアレイ（ＦＰＧＡ）、および他の半カスタムＩＣ）が使用され得る。これらは、当該技術分野において知られる何らかの方式でプログラムされ得る。各ユニットの機能はまた、全体的にあるいは部分的に、メモリ内において具現化される命令群で実装され、1つまたは複数の汎用あるいは特定用途向けのプロセッサによって実行されるようにフォーマットされ得る。
【００５５】
[0062]  いくつかの例で、受信機モジュール６１０は、ライセンススペクトルおよび／または無ライセンススペクトルにおける送信を受信するように動作可能な ＲＦ受信機のような無線周波数(ＲＦ)受信機であるか、またはこれを含み得る。受信機モジュール６１０は、図１および／または図２を参照して説明された無線通信システム１００および／または２００の１つまたは複数の通信リンクのような、ライセンスまたは無ライセンススペクトルを含む無線通信システムの１つまたは複数の通信リンク上の様々なタイプのデータ、および／または制御信号(すなわち、送信)を受信するために使用され得る。
【００５６】
[0063]  いくつかの例で、送信機モジュール６３０は
ライセンススペクトルおよび／または無ライセンススペクトルにおいて送信するように動作可能な ＲＦ送信機のような無線周波数(ＲＦ)送信機であるか、またはこれを含み得る。送信機モジュール６３０は、図１および／または図２を参照して説明された無線通信システム１００および／または２００の１つまたは複数の通信リンクのような、ライセンスまたは無ライセンススペクトルを含む無線通信システムの１つまたは複数の通信リンク上の様々なタイプのデータ、および／または制御信号(すなわち、送信)を送信するために使用され得る。
【００５７】
[0064]  いくつかの例で、共通情報協調モジュール６２０は共通情報ずらし動作を行い得る。無ライセンススペクトルが通信において使用されることを共通情報協調モジュール６２０が決定すると、ずらしパターンが決定され、共通情報が決定されたずらしパターンに従って送信、および／または受信され得る。送信は、例えばＣＣＡを必要とする持続期間よりも少ない持続期間を有するバーストにおいて、ずらしパターンに従って共通情報を例えば送信することを含み得る。ずらしパターンに従って情報を受信することは、共通情報の１つまたは複数の送信を受信し、受信された送信に基づいてずらしパターンを導出することを含み得る。いくつかの場合に、ずらしパターンはｅＮＢまたは他のエンティティによって提供され得る。いくつかの場合に、ずらしパターンは１つの共通情報送信のキャリア周波数および送信の時間に基づいて導出され得る。異なるキャリア周波数上で送信された共通情報は、各キャリア周波数上の送信において繰り返される同じ共通情報を含み得るか、または共通情報の完全なセットを得るために組み合わされ得る１つまたは複数のキャリア周波数上で送信されたサブセットの共通情報を含み得る。上で論じられたように、共通情報は、例えば同期情報、同報情報、および／またはページング情報を含み得る。
【００５８】
[0065]  図６Ｂをここで参照すると、ブロック図６５０が様々な例による無線通信に使用するためのデバイス６５５を例示する。いくつかの例で、デバイス６５５は図１および／または図２を参照して説明されたｅＮＢ１０５、２０５、および／またはＵＥ１１５、２１５の１つまたは複数の態様の例であり得る。デバイス６５５もまたプロセッサであり得る。デバイス６５５は、受信機モジュール６１２、共通情報協調モジュール６６０、および／または送信機モジュール６３２を含み得る。これらコンポーネントの各々は、互いに通信状態にあり得る。
【００５９】
[0066]  デバイス６５５のコンポーネントは、個々にまたは集合的に、ハードウェアにおいて適用可能な機能のいくつかあるいは全てを行うように適合された1つまたは複数の特定用途向け集積回路（ＡＳＩＣ）で実装され得る。代替的に、機能は、１つまたは複数の集積回路上で、１つまたは複数の他の処理ユニット（またはコア）によって行われ得る。他の例では、他のタイプの集積回路（例えば、構造化（structured）／プラットフォームＡＳＩＣ、フィールドプログラマブルゲートアレイ（ＦＰＧＡ）、およびその他の半カスタムＩＣ）が使用され得る。これらは、当該技術分野において知られる何らかの方式でプログラムされ得る。各ユニットの機能はまた、全体的にあるいは部分的に、メモリ内において具現化される命令群で実装され、1つまたは複数の汎用あるいは特定用途向けのプロセッサによって実行されるようにフォーマットされ得る。
【００６０】
[0067]  いくつかの例で、受信機モジュール６１２は、図６Ａの受信機モジュール６１０の例であり得る。受信機モジュール６１２は、ライセンススペクトルおよび／または無ライセンススペクトルにおける送信を受信するように動作可能な ＲＦ受信機のような無線周波数(ＲＦ)受信機であるか、またはこれを含み得る。ＲＦ受信機は、ライセンススペクトルおよび無ライセンススペクトルのための別々の受信機を含み得る。別々の受信機は、いくつかの場合に、ライセンススペクトルモジュール６１４および無ライセンススペクトルモジュール６１６の形式をとり得る。受信機モジュール６１２は、ライセンススペクトルモジュール６１４および無ライセンススペクトルモジュール６１６を含み、図１および／または図２を参照して説明された無線通信システム１００および／または２００の１つまたは複数の通信リンクのような、ライセンスまたは無ライセンススペクトルを含む無線通信システムの１つまたは複数の通信リンク上の様々なタイプのデータ、および／または制御信号(すなわち、送信)を受信するために使用され得る。
【００６１】
[0068]  いくつかの例で、送信機モジュール６３２は図６Ａの送信機モジュールの例であり得る。送信機モジュール６３２は、ライセンススペクトルおよび／または無ライセンススペクトルにおいて送信するように動作可能な ＲＦ送信機のような無線周波数(ＲＦ)送信機であるか、またはこれを含み得る。送信機モジュールは、ライセンススペクトルおよび無ライセンススペクトルのための別々の送信機を含み得る。別々の送信機は、いくつかの場合に、ライセンススペクトルモジュール６３４および無ライセンススペクトルモジュール６３６の形式をとり得る。送信機モジュール６３２は、図１および／または図２を参照して説明された無線通信システム１００および／または２００の１つまたは複数の通信リンクのような、ライセンスまたは無ライセンススペクトルを含む無線通信システムの１つまたは複数の通信リンク上の様々なタイプのデータ、および／または制御信号(すなわち、送信)を送信するために使用され得る。
【００６２】
[0069]  共通情報協調モジュール６６０は図６Ａを参照して説明された共通情報協調モジュール６２０の例であり得、同期情報送信タイミングモジュール６７０、同報情報送信タイミングモジュール６７５、および／またはページング情報協調モジュール６８０を含み得る。これらコンポーネントの各々は、互いに通信状態にあり得る。
【００６３】
[0070]  いくつかの例で、同期情報送信タイミングモジュール６７０は、キャリア周波数のセットにわたる同期情報の送信に関連付けられたずらしパターンを決定し得る。ずらしパターン、およびこのずらしパターンに従って送信された情報は、図３から図５について上で論じられたように送信される例えば同期情報を含み得る。
【００６４】
[0071]  いくつかの例で、同報情報送信タイミングモジュール６７５は、識別されたずらしパターンに関連付けられた１つまたは複数の同報送信を決定し得る。ずらしパターン、およびこのずらしパターンに従って送信された情報は、図３から図５について上で論じられたように送信される例えば同報情報を含み得る。
【００６５】
[0072]  いくつかの例では、ページンク情報協調モジュールが、ＵＥに関連付けられたページング機会に従って送信される特定のＵＥのためのページング情報を決定し得る。ページング機会は特定のＵＥのために識別され得、ＵＥ  ＩＤおよび／またはキャリアインデックスの関数として決定され得る。このため、ページング情報は、複数の異なるキャリア周波数に含まれ得るもので、このためこれがＵＥのページングのための追加のページング機会を提供でき、ＵＥにページングメッセージを提供することにおける遅延を低減できる。ページング情報は、当該技術で知られるように、システム情報変化についてＵＥに通知するために使用されること、および／または例えば、ＥＴＷＳ(地震および津波警報システム)またはＣＭＡＳ(商用モバイル警報システム)警報のようなユーザへの警報を提供することに使用され得る。
【００６６】
[0073]  図７に移ると、無ライセンススペクトル上のＬＴＥ動作のために構成されたｅＮＢ７０５を例示するブロック図７００が示される。いくつかの例で、ｅＮＢ７０５は、図１、図２、図６Ａ、および／または図６Ｂを参照して説明されたｅＮＢまたはデバイス１０５、２０５、６０５、および／または６５５の１つまたは複数の態様の例であり得る。ｅＮＢ７０５は、図１、図２、図３、図４、図５、図６Ａ、および／または６Ｂについて説明された、共通情報協調およびずらし特徴および機能の少なくともいくつかを実装するように構成され得る。ｅＮＢ７０５はプロセッサモジュール７１０、メモリモジュール７２０、少なくともトランシーバモジュール(トランシーバモジュール７５５によって表される)、少なくとも１つのアンテナ(アンテナ７６０によって表される)、および／またはｅＮＢ無線接続ネットワークモジュール７７０を含み得る。ｅＮＢ７０５はまた、基地局通信モジュール７３０およびネットワーク通信モジュール７４０のうちの１つまたは両方を含み得る。これらコンポーネントの各々は、少なくとも１つのバス７３５を介して、直接的または間接的に、互いに通信状態にあり得る。
【００６７】
[0074]  メモリモジュール７２０は、ランダムアクセスメモリ（ＲＡＭ）および読取専用メモリ（ＲＯＭ）を含み得る。メモリモジュール７２０は、実行されたとき、キャリア周波数のセットにわたる共通情報送信を含むＬＴＥベース通信をライセンスおよび／または無ライセンススペクトルにおいて使用するためにここで説明された様々な機能をプロセッサモジュール７１０に行なわせるように構成される命名群を保持する、コンピュータ読取可能でコンピュータ実行可能なソフトウェア(ＳＷ)コード７２５を記憶し得る。代替的に、ソフトウェアコード７２５は、プロセッサモジュール７１０によって直接的に実行可能でない場合があるが、例えばコンパイルして実行されたときにｅＮＢ７０５にここで説明された機能を行わせるように構成され得る。
【００６８】
[0075]  プロセッサモジュール７１０は、例えば中央制御ユニット(ＣＰＵ)、マイクロプロセッサ、ＡＳＩＣ、などのインテリジェントハードウェアデバイスを含み得る。プロセッサモジュール７１０は、トランシーバモジュール７５５、基地局通信モジュール７３０、および／またはネットワーク通信モジュール７４０を通して受信された情報を処理し得る。プロセッサモジュール７１０はまた、アンテナを介した送信のためのトランシーバモジュール７５５へ、１つまたは複数の他の基地局、またはｅＮＢ７０５−ａおよび７０５−ｂへの送信のための基地局通信モジュール７３０へ、および／または、図１を参照して説明されたコアネットワーク７４５への送信のためのネットワーク通信モジュール７４０へ、送られる情報を処理し得る。プロセッサモジュール７１０は、単独または無線接続ネットワークモジュール７７０との関連で、キャリア周波数のセットにわたる共通情報送信の実施を含むＬＴＥベース通信をライセンスおよび／または無ライセンススペクトルにおいて使用する様々な態様を取扱い得る。
【００６９】
[0076]  トランシーバモジュール７５５は、パケットを変調し、変調されたパケットを送信のためにアンテナ７６０に提供し、アンテナ７６０から受信されたパケットを復調するように構成されたモデムを含み得る。トランシーバモジュール７５５は、１つまたは複数の送信機モジュールおよび１つまたは複数の別々の受信機モジュールとして実装され得る。トランシーバモジュール７５５は、少なくとも１つのライセンススペクトルおよび少なくとも１つの無ライセンススペクトルにおける通信をサポートし得る。トランシーバモジュール７５５は、図１および／または図２を参照して説明された例えば１つまたは複数のＵＥまたはデバイス１１５および／または２１５と、アンテナ７６０を経由して、双方向で通信するように構成され得る。ｅＮＢ７０５は、一般に、複数のアンテナ７６０（例えば、アンテナアレイ）を含み得る。ｅＮＢ７０５はネットワーク通信モジュール７４０を通してコアネットワーク７４５と通信し得る。ｅＮＢ７０５は、他の基地局、またはｅＮＢ７０５−ａおよび７０５−ｂのようなｅＮＢと、基地局通信モジュール７３０を使用して通信し得る。
【００７０】
[0077]  図7のアーキテクチャによれば、ｅＮＢ７０５は、通信管理モジュール７５０をさらに含み得る。通信管理モジュール７５０は、他の基地局、ｅＮＢおよび／またはデバイスとの通信を管理し得る。通信管理モジュール７５０は、バスまたは複数のバス７３５を経由してｅＮＢ７０５の他のコンポーネントのいくつかまたは全てと通信状態にあり得る。代替的に、通信管理モジュール７５０の機能は、トランシーバモジュール７５５のコンポーネントとして、コンピュータプログラム製品として、および／またはプロセッサモジュール７１０の１つまたは複数のコントローラ要素として実装され得る。
【００７１】
[0078]  ｅＮＢ無線接続アクセスネットワークモジュール７７０は、ライセンスおよび／または無ライセンススペクトルにおいてＬＴＥベース通信を使用することに関連する図１、図２、図３、図４、図５、図６Ａ、および／または図６Ｂを参照して説明された無ライセンススペクトルにおいてｅＮＢ機能または態様のいくつかまたは全てを行う、および／または制御するように構成され得る。例えば、ｅＮＢ無線接続ネットワークモジュール７７０は、補助ダウンリンクモード、キャリアアグリゲーションモード、および／またはスタンドアローンモードをサポートし、キャリア周波数のセットにわたる共通情報の送信を提供するように構成され得る。ｅＮＢ無線接続ネットワークモジュール７７０は、ライセンススペクトル上のＬＴＥ通信を取り扱うように構成されるＬＴＥライセンスモジュール７７５、無ライセンススペクトル上のＬＴＥ通信を取り扱うように構成されるＬＴＥ無ライセンスモジュール７８０、および／または無ライセンススペクトル上のＬＴＥ通信以外の無ライセンススペクトルにおいて通信を取り扱うように構成される無ライセンスモジュール７８５を含み得る。ｅＮＢ無線接続ネットワークモジュール７７０はまた、図１、図２、図３、図４、図５、図６Ａ、および／または図６Ｂを参照して説明された例えばｅＮＢ共通情報送信および協調機能の何れかを行うように構成された共通情報協調モジュール７９０を含み得る。共通情報協調モジュール７９０は、図６Ａおよび／または図６Ｂを参照して説明された同様のモジュール(例えば、モジュール６２０および／またはモジュール６６０)の例であり得る。ｅＮＢ無線接続ネットワークモジュール７７０またはその一部はプロセッサを含み得、および／またはＮＢ無線接続ネットワークモジュール７７０の機能のいくつかまたは全てはプロセッサモジュール７１０によっておよび／またはこのプロセッサモジュール７１０との関連で行われ得る。
【００７２】
[0079]  図8に移ると、無ライセンススペクトル上のＬＴＥ通信のために構成されたＵＥ８１５を例示するブロック図８００が示される。ＵＥ８１５は、様々な他の構成を有することができ、パーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネット器具、ゲームコンソール、電子リーダなどを含むか、またはその一部であり得る。ＵＥ８１５は、モバイル動作を容易にするために、小型バッテリのような、内部電源（図示されない）を有し得る。 いくつかの例で、ＵＥ８１５は、図１および／または図２を参照して説明された１つまたは複数のＵＥまたはデバイス１１５および／または２１５の例であり得る。ＵＥ８１５は、図１、図２、図６Ａ、図６Ｂ、および／または図７を参照して説明された１つまたは複数のｅＮＢまたはデバイス１０５、２０５、６０５、６５５、および／または７０５と通信するように構成され得る。
【００７３】
[0080]  ＵＥ８１５はプロセッサモジュール８１０、メモリモジュール８２０、少なくとも１つのトランシーバモジュール(トランシーバモジュール８７０で表される)、少なくとも１つのアンテナ(アンテナ８８０で表される)、およびまたはＵＥ無線接続ネットワークモジュール８４０を含み得る。これらコンポーネントの各々は、１つまたは複数のバス８３５を介して、直接的または間接的に、互いに通信状態にあり得る。
【００７４】
[0081]  メモリモジュール８２０は、ＲＡＭおよび／またはＲＯＭを含み得る。メモリモジュール８２０は、実行されたとき、キャリア周波数のセットにわたる共通情報送信を含むＬＴＥベース通信をライセンスおよび／または無ライセンススペクトルにおいて使用するためにここで説明された様々な機能をプロセッサモジュール８１０に行なわせるように構成される命名群を保持する、コンピュータ読取可能でコンピュータ実行可能なソフトウェア(ＳＷ)コード８２５を記憶し得る。代替的に、ソフトウェアコード８２５は、プロセッサモジュール８１０によって直接的に実行可能でない場合があるが、ＵＥ８１５に(例えばコンパイルして実行されたときに)ここで説明された機能を行わせるように構成され得る。
【００７５】
[0082]  プロセッサモジュール８１０は、例えばＣＰＵ、マイクロプロセッサ、ＡＳＩＣ、などのインテリジェントハードウェアデバイスを含み得る。プロセッサモジュール８１０は、トランシーバモジュール８７０を通して受信された情報、および／または、アンテナを介した送信のためのトランシーバモジュール８７０へ送られる情報を処理し得る。プロセッサモジュール８１０は、単独または無線接続ネットワークモジュール８４０との関連で、ＬＴＥベース通信をライセンスおよび／または無ライセンススペクトルにおいて使用する様々な態様を取扱い得る。
【００７６】
[0083]  トランシーバモジュール８７０は、ｅＮＢと双方向で通信するように構成され得る。トランシーバモジュール８７０は、１つまたは複数の送信機モジュールおよび１つまたは複数の別々の受信機モジュールとして実装され得る。トランシーバモジュール８７０は、少なくとも１つのライセンススペクトルおよび少なくとも１つの無ライセンススペクトルにおける通信をサポートし得る。トランシーバモジュール８７０は、パケットを変調してこの変調されたパケットを送信のためにアンテナ８８０に提供し、このアンテナ８８０から受信されたパケットを復調するように構成されたモデムを含み得る。ＵＥ８１５は単一アンテナを含み得る一方で、ＵＥ８１５が複数のアンテナ８８０を含み得る例があり得る。
【００７７】
[0084]  図８のアーキテクチャによれば、ＵＥ８１５は、通信管理モジュール８３０をさらに含み得る。通信管理モジュール８３０は、様々な基地局またはｅＮＢとの通信を管理し得る。通信管理モジュール８３０は、１つまたは複数の基地局を介してＵＥの他のコンポーネントの一部または全てと通信状態にある、ＵＥ８１５のコンポーネントであり得る。代替的に、通信管理モジュール８３０の機能は、トランシーバモジュール８７０のコンポーネントとして、コンピュータプログラム製品として、および／またはプロセッサモジュール８１０の１つまたは複数のコントローラ要素として実装され得る。
【００７８】
[0085]  ＵＥ無線接続ネットワークモジュール８４０は、ライセンスおよび／または無ライセンススペクトルにおいてＬＴＥベース通信を使用することに関連した図１、図２、図３、図４、図５、図６Ａ、および／または図６Ｂにおいて説明された無ライセンススペクトルにおけるＵＥ機能または態様のいくつかまたは全てを行うおよび／または制御するように構成され得る。例えば、ＵＥ無線接続ネットワークモジュール８４０は、補助ダウンリンクモード、キャリアアグリゲーションモード、および／またはスタンドアローンモードをサポートし、キャリア周波数のセットにわたって送信される共通情報を受信するように構成され得る。ＵＥ無線接続ネットワークモジュール８４０は、ライセンススペクトル上のＬＴＥ通信を扱うように構成されたＬＴＥライセンスモジュール８４５、無ライセンススペクトル上のＬＴＥ通信を扱うように構成されたＬＴＥ無ライセンスモジュール８５０、共通情報協調モジュール８５５、および／または同期受信機モジュール８６０を含み得る。共通情報協調モジュール８５５は、図６Ａおよび／または図６Ｂを参照して説明された同様のモジュール(例えば、モジュール６２および／またはモジュール６６０)の例であり得、キャリア周波数のセットにわたってずらしパターンに従って送信された共通情報の受信を協調し得る。同期受信機モジュール８６０は、並列に共通情報のための複数のキャリア周波数のサーチを可能にする受信機を含み得る。ＵＥ無線接続ネットワークモジュール８４０、またはその一部は、プロセッサを含み、および／またはＵＥ無線接続ネットワークモジュール８４０の機能の一部または全部はプロセッサモジュール８１０および／またはプロセッサモジュール８１０との関連で行われ得る。
【００７９】
[0086]  図９に次に移ると、ｅＮＢ９０５およびＵＥ９１５を含む多入力多出力(ＭＩＭＯ)通信システム９００が示される。ｅＮＢ９０５およびＵＥ９１５はライセンスおよび／または無ライセンススペクトルを使用するＬＴＥベース通信をサポートし得る。ｅＮＢ９０５は図１、図２、図６Ａ、図６Ｂ、および／または図７を参照して説明されたｅＮＢまたはデバイス１０５、２０５、６０５、６５５および／または７０５の１つまたは複数の態様の例であり得る一方で、ＵＥ９１５は図１、図２、図６Ａ、図６Ｂ、および／または図８を参照して説明されたＵＥまたはデバイス１１５、２１５、６０５、６５５、および／または８１５の１つまたは複数の態様の例であり得る。システム９００は、図１および／または図２を参照して説明された無線通信システム１００および／または２００の態様を例示し得、図３、図４、および／または図５を参照して説明されたように共通情報ずらし機能を行い得る。
【００８０】
[0087]  ｅＮＢ９０５はアンテナ９３４−ａから９３４−ｘを装備し得、ＵＥ９１５はアンテナ９５２−ａから９５２−ｎを装備し得る。システム９００では、ｅＮＢ９０５が同じ時間に複数の通信リンク上でデータを送信することが可能であり得る。各通信リンクは「レイヤ」と称されることができ、この通信リンクの「ランク」は通信のために使用されるレイヤの数を指示し得る。例えば、ｅＮＢ９０５が２つの「レイヤ」を送信する２×２ＭＩＭＯシステムでは、ｅＮＢ９０５およびＵＥ９１５間の通信リンクのランクは２であり得る。
【００８１】
[0088]  ｅＮＢ９０５で、送信(Ｔｘ)プロセッサ９２０はデータソースからのデータを受信し得る。送信プロセッサ９２０はこのデータを処理し得る。送信プロセッサ９２０はまた、基準シンボルおよび／またはセル特有の基準信号を生成し得る。送信（Ｔｘ）ＭＩＭＯプロセッサ９３０は、適用可能であれば、データシンボル、制御シンボル、および／または基準シンボルに対して空間処理（例えばプレコーディング）を行い、送信変調器９３２−ａから９３２−ｘに出力シンボルストリームを提供し得る。各変調器９３２は、出力サンプルストリームを取得するために該当の出力シンボルストリーム（例えば、ＯＦＤＭ、などのための）を処理し得る。各変調器９３２はさらに、ダウンリンク信号を取得するために、出力サンプルストリームを処理（例えば、アナログに変換、増幅、フィルタリング、およびアップコンバート）し得る。変調器９３２−ａから９３２−ｘからのダウンリンク(ＤＬ)信号は、それぞれ、アンテナアンテナ９３４−ａから９３４−ｘを経由して送信され得る。
【００８２】
[0089]  UE９１５では、アンテナ９５２−ａから９５２−ｎがｅＮＢ９０５からダウンリンク信号を受信し得、受信した信号を復調器９５４−ａから９５４−ｎにそれぞれ提供し得る。各復調器９５４は、入力サンプルを取得するために、該当の受信された信号を調整（例えば、フィルタリング、増幅、ダウンコンバート、およびデジタル化）し得る。各復調器９５４はさらに、受信されたシンボルを取得するために入力サンプル（例えば、ＯＦＤＭ、などのための）を処理し得る。ＭＩＭＯ検出器９５６は、全ての復調器９５４−ａから９５４−ｎからの受信シンボルを取得し、適用可能であれば、受信シンボルに対してＭＩＭＯ検出を行い、検出されたシンボルを提供する。受信(Ｒｘ)プロセッサ９５８は、検出されたシンボルを処理（例えば、復調、デインタリーブ、および復号）し、ＵＥ９１５のための復号されたデータをデータ出力に提供し、復号された制御情報をプロセッサ９８０またはメモリ９８２に提供し得る。プロセッサ９８０は、ライセンスおよび／または無ライセンススペクトルにおいてＬＴＥベース通信を使用することに関連する様々な機能を行い得るモジュールまたは機能９８１を含み得る。例えば、モジュールまたは機能９８１は図６Ａまたは図６Ｂを参照して説明された共通情報協調モジュール６２０または６６０の機能、および／または図８を参照して説明されたＵＥ無線接続ネットワークモジュール８４０のいくつかまたは全てを行い得る。
【００８３】
[0090]  アップリンク上では、ＵＥ９１５で、送信(Ｔｘ)プロセッサ９６４がデータソースからのデータを受信し処理し得る。送信プロセッサ９６４はまた、基準信号のための基準シンボルを生成し得る。送信プロセッサ９６４からのシンボルは、適用可能であれば、送信(Ｔｘ)ＭＩＭＯプロセッサ９６６によって事前コード化され(precoded)、さらに送信(Ｔｘ)変調器９５４−ａから９５４−ｎによって処理され、ｅＮＢ９０５から受信された送信パラメータに従ってｅＮＢ９０５へ送信され得る。ｅＮＢ９０５では、ＵＥ９１５からのアップリンク信号がアンテナ９３４によって受信され得、受信機(Ｒｘ)復調器９３２によって処理され、適用可能なであればＭＩＭＯ検出器９３６によって検出され、受信(Ｒｘ)プロセッサ９３８によってさらに処理され得る。受信プロセッサ９３８は、復号されたデータをデータ出力に、およびプロセッサ９４０またはメモリ９４２に提供する。プロセッサ９４０は、ライセンスおよび／または無ライセンススペクトルにおいてＬＴＥベース通信を使用することに関連する様々な態様を行い得るモジュールまたは機能９４１を含み得る。例えば、モジュールまたは機能９４１は、図６Ａまたは図６Ｂを参照して説明された共通情報協調モジュール６２０または６６０の機能、または図７を参照して説明されたｅＮＢ無線接続ネットワークモジュール７７０のいくつかまたは全てを行い得る。いくつかの例で、モジュールまたは機能９４１は、キャリア周波数のセットにわたる共通情報のｅＮＢ９０５の送信のためのずらしパターンを決定するために使用され得る。
【００８４】
[0091]  ｅＮＢ９０５のコンポーネントは、個々にまたは集合的に、ハードウェアにおいて適用可能な機能のいくつかあるいは全てを行うように適合された１つまたは複数の特定用途向け集積回路（ＡＳＩＣ）で実装され得る。言及されたモジュールの各々はシステム９００の動作に関連した１つまたは複数の機能を行うための手段であり得る。同様に、ＵＥ９１５のコンポーネントは、個々にまたは集合的に、ハードウェアにおいて適用可能な機能のいくつかあるいは全てを行うように適合された１つまたは複数の特定用途向け集積回路（ＡＳＩＣ）で実装され得る。言及されたモジュールの各々はシステム９００の動作に関連した１つまたは複数の機能を行うための手段であり得る。
【００８５】
[0092］  図１０は、無線通信のための方法１０００の例を例示するフローチャートである。明確さのため、方法１０００は、図１、図２、図６Ａ、図６Ｂ、図７、および／または図９を参照して説明されたｅＮＢまたはデバイス105、２０５、６０５、６５５、７０５、および／または９０５のうちの１つを参照して以下に説明される。１つの例では、ｅＮＢが、以下に説明される機能を行うためのｅＮＢの機能要素を制御するために１つまたは複数セットのコードを実行し得る。
【００８６】
[0093]  ブロック１００５では、無ライセンススペクトルのキャリア周波数のセットが複数の受信機で受信されるべき共通情報の送信のために識別され得る。キャリア周波数のセットは周波数帯域の範囲内または異なる周波数帯域内のキャリア周波数として識別され得る。例えば、キャリア周波数は、５ＧＨｚの周波数帯域の範囲内で２０ＭＨｚのキャリア周波数であり得る。いくつかの例で、キャリア周波数のセットは周波数帯域の範囲内で１つのアンカー周波数および１つまたは複数のフレキシブルキャリア周波数を含み得る。プロック１００５での動作は、いくつかの場合に、図６Ａおよび／または図６Ｂを参照して説明された共通情報協調モジュール６２０および／または６５５、図７を参照して説明されたｅＮＢ無線接続ネットワークモジュール７７０、および／または図９を参照して説明されたモジュールまたは機能９４１を使用して行われる。
【００８７】
[0094]  ブロック１０１０では、ずらしパターンがキャリア周波数のセットにおけるキャリア周波数の各々にわたって共通情報を送信するために決定される。ブロック１０１０での動作は、いくつかの場合に、図６Ａおよび／または図６Ｂを参照して説明された共通情報協調モジュール６２０および／または６５５、図７を参照して説明されたｅＮＢ無線接続ネットワークモジュール７７０、および／または図９を参照して説明されたモジュールまたは機能９４１を使用して行われ得る。ずらしパターンは、異なる時間にキャリア周波数のセットにおける異なるキャリア周波数にわたる共通情報の少なくとも一部の送信を提供するために決定され得る。ずらしパターンにおける共通情報送信の持続期間は、無ライセンススペクトルの利用可能性を決定するためにＣＣＡを必要としないように選択され得る。
【００８８】
[0095]  いくつかの例で、ずらしパターンが決定されシグナリングがずらしパターンに関連する情報で受信機に提供され得る。他の例では、ずらしパターンが第１の共通情報送信の送信時間および周波数と、第１の共通情報送信および残りの共通情報送信間の関係とに基づいて決定され得る。このような方式では、受信機が共通情報送信の１つを受信する場合に、ずらしパターンの残りが導出され得る。さらに別の例では、ずらしパターンが共通情報送信の各々において提供された共通情報送信の送信時間および周波数から決定され得る。こうした場合、受信機は与えられた送信時間およぴ周波数で共通情報送信から後続の共通情報送信の送信時間および周波数を導出し得る。このため、方法１０００は無線通信に備え得る。方法１０００は１つの実施であって、方法１０００の動作が再構成されたり、他の実施が可能なように変形されたりし得ることを認識されたい。
【００８９】
[0096］  図１１は、無線通信のための方法１１００の例を例示するフローチャートである。明確さのため、方法１１００が、図１、図２、図６Ａ、図６Ｂ、図７、および／または図９を参照して説明されたｅＮＢまたはデバイス１０５、２０５、６０５、６５５、７０５、および／または９０５の１つを参照して以下に説明される。一例では、ｅＮＢが以下に説明される機能を行うためのｅＮＢの機能要素を制御するために１つまたは複数セットのコードを実行し得る。
【００９０】
[0097]  ブロック１１０５では、無ライセンススペクトルのキャリア周波数のセットが複数の受信機で受信されるべき共通情報の送信のために識別される。キャリア周波数のセットは周波数帯域の範囲内または異なる周波数帯域内のキャリア周波数として識別され得る。例えば、キャリア周波数は、５ＧＨｚの周波数帯域の範囲内で２０ＭＨｚのキャリア周波数であり得る。いくつかの例で、キャリア周波数のセットは周波数帯域の範囲内で１つのアンカー周波数および１つまたは複数のフレキシブルキャリア周波数を含み得る。プロック１１０５での動作は、いくつかの場合に、図６Ａおよび／または図６Ｂを参照して説明された共通情報協調モジュール６２０および／または６５５、図７を参照して説明されたｅＮＢ無線接続ネットワークモジュール７７０、および／または図９を参照して説明されたモジュールまたは機能９４１を使用して行われる。
【００９１】
[0098]  ブロック１１１０では、キャリア周波数のセットのうちのキャリア周波数の各々上の共通情報の送信のための非オーバーラップ時間期間が選択される。送信のための各非オーバーラップ時間期間における共通情報送信の持続期間は、無ライセンススペクトルの利用可能性を決定するためのＣＣＡを必要としないように選択され得る。プロック１１１０での動作は、いくつかの場合に、図６Ａおよび／または図６Ｂを参照して説明された共通情報協調モジュール６２０および／または６５５、図７を参照して説明されたｅＮＢ無線接続ネットワークモジュール７７０、および／または図９を参照して説明されたモジュールまたは機能９４１を使用して行われる。
【００９２】
[0099]  ブロック１１１５では、ずらしパターンが非オーバーラップ時間期間に基づいて決定される。ずらしパターンは、異なる時間にキャリア周波数のセットにおける異なるキャリア周波数にわたる、共通情報の少なくとも一部の送信を提供するために決定され得る。いくつかの例で、ずらしパターンが決定され、シグナリングがずらしパターンの関連する情報で受信機に提供される。他の例で、ずらしパターンは第１の共通情報送信の送信時間および周波数と、第１の情報送信および残りの共通情報送信間の関係とに基づいて決定され得る。このような方式では、受信機が共通情報送信の１つを受信する場合に、ずらしパターンの残りが導出され得る。さらに別の例では、ずらしパターンが共通情報送信の各々において提供された共通情報送信の送信時間および周波数から決定され得る。こうした場合、受信機は与えられた送信時間およぴ周波数で共通情報送信から後続の共通情報送信の送信時間および周波数を導出し得る。プロック１１１５での動作は、いくつかの場合に、図６Ａおよび／または図６Ｂを参照して説明された共通情報協調モジュール６２０および／または６５５、図７を参照して説明されたｅＮＢ無線接続ネットワークモジュール７７０、および／または図９を参照して説明されたモジュールまたは機能９４１を使用して行われる。
【００９３】
[0100]  ブロック１１２０では、ずらしパターンが無ライセンススペクトル受信機へ送信される。プロック１１２０での動作は、いくつかの場合に、図６Ａを参照して説明された共通情報協調モジュール６２０および／または送信機６３０、図６Ｂを参照して説明された同期情報送信タイミングモジュール６７０、同報情報送信タイミングモジュール６７５、および/または送信機モジュール６３２、図７を参照して説明された共通情報協調モジュール７９０、送信機モジュール７５５、および／またはアンテナ７６０、および／または図９を参照して説明されたモジュールまたは機能９４１、Ｔｘプロセッサ９２０、ＴｘＭＩＭＯプロセッサ９３０、Ｔｘ変調器９３２−ａから９３２−ｘ、および／またはアンテナ９３４−ａから９３４−ｘを使用して行われる。
【００９４】
[0101]  このため、方法１１００が無線通信に備え得る。方法１１００は１つの実施であって、方法１０００の動作が再構成されたり、他の実施が可能なように変形されたりし得ることを認識されたい。
【００９５】
[0102］  図１２は、無線通信のための方法１２００の例を例示するフローチャートである。明確さのため、方法１２００は、図１、図２、図６Ａ、図６Ｂ、図８、および／または図９を参照して説明されたＵＥまたはデバイス１１５、２１５、６０５、６５５、８１５、および／または９１５のうちの１つを参照して以下に説明される。一例では、ＵＥが以下に説明される機能を行うためのＵＥの機能要素を制御するために１つまたは複数セットのコードを実行し得る。
【００９６】
[0103]  ブロック１２０５では、共通情報送信が無ライセンススペクトルのキャリア周波数上で受信され得る。共通情報送信は第１のキャリア周波数上で受信でき、第１の時間に受信できる。いくつかの例で、共通情報はアンカーキャリア上で受信され得る。こうした場合、共通情報は共通情報のためのアンカーキャリア上でサーチしているＵＥによって受信され得る。
【００９７】
代替的に、ＵＥは複数のキャリア周波数上の共通情報を求めて並列にサーチし得、サーチされたキャリア周波数の１つまたは複数上の共通情報を受信し得る。プロック１２０５での動作は、いくつかの場合に、図６Ａおよび／または図６Ｂを参照して説明された共通情報協調モジュール６２０および／または６５５、図８を参照して説明されたＵＥ無線接続ネットワークモジュール８４０、および／または図９を参照して説明されたモジュールまたは機能９８１を使用して行われる。
【００９８】
[0104]  プロック１２１０では、ずらしパターンが受信された共通情報送信に基づいてキャリア周波数のセットにわたる共通情報の送信のために決定され得る。いくつかの場合に、ずらしパターンは第１のキャリアおよび第１の送信時間および残りの送信時間およびキャリア周波数間の定義された関係に基づいて決定され得、これはずらしパターンのためのキャリア周波数および送信時間を導出するために用いられ得る。他の場合に、ずらしバターンは共通送信送信の各々において提供さされた共通情報送信の送信時間および周波数から決定され得、各共通情報送信が後続の共通情報送信の送信時間および周波数を提供する。さらに別の場合に、ずらしパターンが共通情報送信に含まれ得る。また別の場合、ずらしパターンがＳＩＢまたはＲＲＣ構成／再構成メッセージにおいてＵＥによって受信され得る。プロック１２１０での動作は、いくつかの場合に、図６Ａおよび／または図６Ｂを参照して説明された共通情報協調モジュール６２０および／または６５５、図８を参照して説明されたＵＥ無線接続ネットワークモジュール８４０、および／または図９を参照して説明されたモジュールまたは機能９８１を使用して行われる。
【００９９】
[0105]  このため、方法１２００は無線通信に備え得る。方法１２００は１つの実施であって、方法１２００の動作が再構成されたり、他の実施が可能なように変形されたりし得ることを認識されたい。
【０１００】
[0106］  図１３は、無線通信のための方法１３００の例を例示するフローチャートである。明確さのために、方法１３００は図１、図２、図６Ａ、図６Ｂ、図８、および／または図９を参照して説明されたＵＥまたはデバイス１１５、２１５、６０５、６５５、８１５、および／または９１５のうちの１つを参照して以下に説明される。一例では、ＵＥが以下に説明される機能を行うためのＵＥの機能要素を制御するために１つまたは複数セットのコードを実行し得る。
【０１０１】
[0107]  ブロック１３０５では、複数のキャリア周波数が共通情報送信を求めてサーチされ得る。サーチされるキャリア周波数は例えば前の共通情報送信、ＳＩＢまたはＲＲＣ構成／再構成メッセージのような前の通信においてＵＥに提供され得る。いくつかの場合に、サーチされたキャリア周波数は、他のフレキシブル周波数が導出され得るアンカー周波数のセットを含み得る。プロック１３０５での動作は、いくつかの場合に、図６Ａおよび／または図６Ｂを参照して説明された共通情報協調モジュール６２０および／または６５５、図８を参照して説明されたＵＥ無線接続ネットワークモジュール８４０、および／または図９を参照して説明されたモジュールまたは機能９８１を使用して行われる。
【０１０２】
[0108]  ブロック１３１０では、共通情報送信がキャリア周波数のセットのうちの１つ上で受信され得る。共通情報送信は、同期および同報情報のないことで必要とされるより少ない計算リソースでより速くチャネル獲得を行うために例えばＵＥによって使用され得る同期情報、および／または同報情報を含み得る。共通情報送信はまた、ＵＥのためのページング機会中に送信され特定のＵＥのために識別されたページング情報を含み得、ＵＥのためのページング機会はＵＥ  ＩＤおよび／またはキャリアインデックスの関数であり得、このため複数のキャリア周波数上でページング機会を提供する。プロック１３１０での動作は、いくつかの場合に、図６Ａおよび／または図６Ｂを参照して説明された共通情報協調モジュール６２０および／または６５５、図８を参照して説明されたＵＥ無線接続ネットワークモジュール８４０、および／または図９を参照して説明されたモジュールまたは機能９８１を使用して行われる。
【０１０３】
[0109]  ブロック１３１５では、受信された共通情報送信の時間およびキャリア周波数
が識別される。 プロック１３１５での動作は、いくつかの場合に、図６Ａおよび／または図６Ｂを参照して説明された共通情報協調モジュール６２０および／または６５５、図８を参照して説明されたＵＥ無線接続ネットワークモジュール８４０、および／または図９を参照して説明されたモジュールまたは機能９８１を使用して行われる。
【０１０４】
[0110]  ブロック１３２０では、ずらしパターンがブロック１３１０での受信された共通情報送信の時間および周波数に基づいて決定される。いくつかの場合、ずらしパターンは、ブロック１３１５で識別されたキャリア周波数および送信時間、キャリア周波数のセットにおける他の相対的時間およびキャリア周波数間の定義された関係に基づいて決定され、これはずらしパターンのためのキャリア周波数および送信時間を決定するために使用可能である。他の場合には、ずらしパターンが、共通情報送信の各々において提供された共通情報送信の送信時間および周波数から決定され得、各共通情報送信が後続の共通情報送信の送信時間および周波数を提供する。さらに別の場合、ずらしパターンが共通情報送信に含まれ得る。さらに別の場合に、ずらしパターンは例えばＳＩＢまたはＲＲＣ構成／再構成メッセージにおいてＵＥによって受信され得る。プロック１３２０での動作は、いくつかの場合に、図６Ａおよび／または図６Ｂを参照して説明された共通情報協調モジュール６２０および／または６５５、図８を参照して説明されたＵＥ無線接続ネットワークモジュール８４０、および／または図９を参照して説明されたモジュールまたは機能９８１を使用して行われる。
【０１０５】
[0111]  このため、方法１３００は、無線通信のために備え得る。方法１３００は１つの実施であって、方法１３００の動作が再構成されたり、他の実施が可能なように変形されたりし得ることを認識されたい。
【０１０６】
[0112]  添付の図面に関して上述された詳細な説明は、例示的な実施形態を説明しており、インプリメントされうるまたは特許請求の範囲内にある実施形態のみを表すものではない。本明細書全体にわたって使用される用語「例示的（exemplary）」は、「好ましい」あるいは「他の実施形態よりも有利である」ということではなく、「例、実例、あるいは例示として役立つこと」を意味する。詳細な説明は、説明された技法の理解を提供する目的で、特定の詳細を含む。しかしながら、これらの技法は、これらの特定の詳細なしで実施され得る。いくつかの事例では、周知の構造およびデバイスは、説明された実施形態の概念を曖昧にしないように、ブロック図形式で示される。
【０１０７】
[0113]  情報および信号は、様々な異なる技術および技法のうちの任意のもの用いて表わされ得る。例えば、上記説明の全体を通して参照されうるデータ、命令、コマンド、情報、信号、ビット、シンボル、およびチップは、電圧、電流、電磁波、磁場または磁性粒子、光場または光粒子、あるいはこれらの任意の組み合わせによって表わされ得る。
【０１０８】
[0114]  ここでの開示に関連して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、またはここで説明された機能を実行するように設計されたこれらの任意の組み合わせを用いてインプリメントまたは実行され得る。汎用プロセッサはマイクロプロセッサでありうるが、代替として、このプロセッサは、任意の従来のプロセッサ、コントローラ、マイクロコントローラ、またはステートマシンであり得る。プロセッサはまた、コンピューティングデバイスの組み合わせ、例えば、DSPとマイクロプロセッサとの組み合わせ、複数のマイクロプロセッサ、DSPコアと併用しての１つまたは複数のマイクロプロセッサ、あるいはいずれの他のそのような構成のもの、として実装され得る。プロセッサはいくつかの場合に、メモリと電気通信されており、メモリがプロセッサによって実行可能な命令を記憶する。
【０１０９】
[0115]ここで説明された機能は、ハードウェア、プロセッサによって実行されるソフトウェア、ファームウェア、またはこれらの任意の組み合わせでインプリメントされ得る。プロセッサによって実行されるソフトウェアで実装される場合には、機能は、コンピュータ可読媒体上で１つまたは複数の命令またはコードとして格納または送信され得る。他の例および実装は、特許請求の範囲および本開示の精神および範囲内にある。例えば、ソフトウェアの本質により、上述される機能は、プロセッサによって実行されるソフトウェア、ハードウェア、ファームウェア、ハードワイヤリング、またはこれらのいずれかの組み合わせを使用して実装されることができる。機能を実装する特徴はまた、様々な位置において物理的に配置されうる、そしてそれは、機能のポーションが異なる物理的な位置において実装されるように分配されることを含む。また、特許請求の範囲を含めて、ここで使用される場合、「のうちの少なくとも１つ（at least one of）」で終わる項目の列挙中で使用される「または（or）」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するように、選言的列挙（disjunctive list）を示す。
【０１１０】
[0116]  コンピュータ可読媒体は、１つの場所から別の場所へのコンピュータプログラムの転送を容易にする任意の媒体を含む通信媒体とコンピュータ記憶媒体との両方を含む。記憶媒体は、汎用または専用コンピュータによってアクセスされうる任意の利用可能な媒体であり得る。それに制限されない例として、コンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、または汎用コンピュータまたは特殊用途コンピュータ、または汎用プロセッサまたは特殊用途プロセッサによってアクセスされることができ、命令またはデータ構造の形で所望のプログラムコード手段を搬送または記憶するために使用できる任意の他の媒体を備え得る。また、任意の接続は、厳密にはコンピュータ可読媒体と称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は送信媒体の定義に含まれている。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１１１】
[0117]  本開示の先の説明は、当業者に本開示の製造または使用を可能にするように提供される。本開示に対する様々な修正は、当業者にとって容易に明らかとなり、本明細書において定義された包括的な原理は、本開示の精神または範囲から逸脱することなしに他の変形例に適用され得る。本開示を通して、用語「例（example）」あるいは「例示的（exemplary）」は、例あるいは実例を示すものであり、言及された例に対するいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、本願の出願当初の特許請求の範囲に記載された発明を付記する。
［Ｃ１］
無線通信のための方法であって、
複数の受信機で受信されるべき共通情報の送信のために無ライセンススペクトルのキャリア周波数のセットを識別することと、
キャリア周波数の前記セットにおけるキャリア周波数の各々にわたって前記共通情報を送信するためのずらしパターンを決定することと
を備える、方法。
［Ｃ２］
前記ずらしパターンに従ってキャリア周波数の前記セット上で前記共通情報を送信することをさらに備える、Ｃ１に記載の方法。
［Ｃ３］
前記共通情報は、同期情報、同報チャネル情報、またはページング情報の１つまたは複数を備える、Ｃ１に記載の方法。
［Ｃ４］
前記ずらしパターンは、前記キャリア周波数上の同期情報の送信、および前記キャリア周波数のサブセット上の同報またはページング情報の送信を備える、Ｃ３に記載の方法。
［Ｃ５］
前記同期情報の送信帯域幅が該当のキャリア周波数のための利用可能な帯域幅よりも少なく、追加の情報が残りの利用可能な送信帯域幅を使用して送信される、Ｃ３に記載の方法。
［Ｃ６］
前記ベージング情報は、特定のユーザ機器(ＵＥ)のために識別された情報であって、前記ＵＥのためのページング機会中に送信された情報を備え、前記ＵＥのための前記ページング機会が１つまたは複数のＵＥ識別、１つまたは複数のキャリア周波数、または両方の関数である、Ｃ３に記載の方法。
［Ｃ７］
前記ベージング情報は、キャリア周波数の前記セットのうちの２つ以上にわたってずらされる、Ｃ３に記載の方法。
［Ｃ８］
各キャリア周波数上の共通情報の送信のための時間期間が所定の時間期間よりも少ない、Ｃ１に記載の方法。
［Ｃ９］
前記ずらしパターンは、キャリア周波数の前記セットのうちの１つ上の共通情報送信の検出に伴って決定可能な所定のずらしパターンである、Ｃ１に記載の方法。
［Ｃ１０］
前記ずらしパターンを決定することは、キャリア周波数の前記セットの各キャリア周波数上の共通情報の送信のために非オーバーラップ時間期間を選択することを含み、キャリア周波数の前記セットの各キャリア周波数は前記ずらしパターンの前記時間期間中の共通情報の少なくとも１つの送信を含む、Ｃ１に記載の方法。
［Ｃ１１］
キャリア周波数の前記セットの異なる周波数上の送信のための前記時間期間は前記共通情報の少なくとも一部を提供するために選択される、Ｃ１０に記載の方法。
［Ｃ１２］
前記ずらしパターンは、前記共通情報の少なくとも一部がキャリア周波数の前記セットの少なくとも１つ上で送信される間にキャリア周波数のサブセットを消去することを含む、Ｃ１に記載の方法。
［Ｃ１３］
キャリア周波数の前記セットは、少なくとも１つのアンカー周波数、および利用可能な周波数のグループから選択された複数のフレキシブルキャリア周波数を含む、Ｃ１に記載の方法。
［Ｃ１４］
無線通信のための方法であって、
無ライセンススペクトルのキャリア周波数上の共通情報送信を受信することと、
前記受信された共通情報送信に基づいてキャリア周波数のセットにわたる共通情報の送信のためのずらしパターンを決定することと
を備える、方法。
［Ｃ１５］
前記決定することは、
前記受信された共通情報送信の時間およびキャリア周波数を識別することと、
前記受信された共通情報送信の前記時間および前記周波数に基づいて前記ずらしパターンを決定することとを備える、Ｃ１４に記載の方法。
［Ｃ１６］
共通情報送信を受信することは、前記共通情報送信を求めて複数のキャリア周波数をサーチすことを備える、Ｃ１４に記載の方法。
［Ｃ１７］
前記サーチすることは、前記複数のキャリア周波数を並列にサーチすること、または各キャリア周波数の帯域幅の一部を並列にサーチすること、および時間が経つにつれて異なるキャリア周波数からの信号を組み合わせることとを備える、Ｃ１６に記載の方法。
［Ｃ１８］
周波数間測定目的で前記ずらしパターンを基地局へ通知することをさらに備える、Ｃ１４の方法。
［Ｃ１９］
前記共通情報送信は、前記ずらしパターンを指示するシグナリングを備える、Ｃ１４に記載の方法。
［Ｃ２０］
前記ずらしパターンからの情報を使用して周波数間測定を行うことをさらに備える、Ｃ１９に記載の方法。
［Ｃ２１］
前記共通情報は、同期情報、同報チャネル情報、またはページング情報の１つまたは複数を備える、Ｃ１４に記載の方法。
［Ｃ２２］
前記ずらしパターンは、前記キャリア周波数の各々上の同期情報送信、および前記キャリア周波数のサブセット上の同報またはページング情報の送信を備える、Ｃ２１に記載の方法。
［Ｃ２３］
前記ベージング情報は、特定のユーザ機器(ＵＥ)のために識別された情報であって、前記ＵＥのためのページング機会中に送信された情報を備え、前記ＵＥのための前記ページング機会が１つまたは複数のＵＥ識別、１つまたは複数のキャリア周波数、または両方の関数である、Ｃ２１に記載の方法。
［Ｃ２４］
キャリア周波数の前記セットは、少なくとも１つのアンカー周波数、および利用可能な周波数のグループから選択された複数のフレキシブルキャリア周波数を含む、Ｃ１４に記載の方法。
［Ｃ２５］
無線通信通信のための装置であって、
複数の受信機で受信されるべき共通情報の送信のために無ライセンススペクトルのキャリア周波数のセットを識別するための手段と、
キャリア周波数の前記セットにおけるキャリア周波数の各々にわたって前記共通情報を送信するためのずらしパターンを決定するための手段と
を備える、装置。
［Ｃ２６］
前記ずらしパターンに従ってキャリア周波数の前記セット上で前記共通情報を送信するための手段をさらに備える、Ｃ２５に記載の装置。
［Ｃ２７］
前記ずらしパターンは、キャリア周波数の前記セットのうちの１つ上の共通情報送信の検出に伴って決定可能な所定のずらしパターンである、Ｃ２５に記載の装置。
［Ｃ２８］
無線通信のための装置であって、
無ライセンススペクトルのキャリア周波数上の共通情報送信を受信するための手段と、
前記受信された共通情報送信に基づいてキャリア周波数のセットにわたる共通情報の送信のためのずらしパターンを決定するための手段と
を備える、装置。
［Ｃ２９］
前記受信された共通情報送信の時間およびキャリア周波数の周波数を識別するための手段と、
前記受信された共通情報送信の前記時間および前記周波数に基づいて前記ずらしパターンを決定するための手段とをさらに備える、Ｃ２８に記載の装置。
［Ｃ３０］
前記ずらしパターンは、キャリア周波数の前記セットのうちの１つ上の共通情報送信の検出に伴って決定可能な所定のずらしパターンである、Ｃ２８に記載の装置。
【図１】
0006396467.tif 000002
【図２】
0006396467.tif 000003
【図３】
0006396467.tif 000004
【図４】
0006396467.tif 000005
【図５】
0006396467.tif 000006
【図６Ａ】
0006396467.tif 000007
【図６Ｂ】
0006396467.tif 000008
【図７】
0006396467.tif 000009
【図８】
0006396467.tif 000010
【図９】
0006396467.tif 000011
【図１０】
0006396467.tif 000012
【図１１】
0006396467.tif 000013
【図１２】
0006396467.tif 000014
【図１３】
0006396467.tif 000015